(57)【特許請求の範囲】
【請求項１】
出力すべき出力データを生成すると共に、表示データに対応する画像を表示する表示手段を備えるデータ生成装置と、
前記出力データを変換データを用いて変換すると共に前記表示データを生成する変換装置と、
前記変換された出力データを出力する出力装置と、
を備える出力制御システムであって、
前記データ生成装置は、
前記出力装置における出力前に、前記表示データを要求する要求信号を生成し前記変換装置に伝送する要求手段と、
前記表示データに対応して表示される画像を用いて、前記出力データの加工の指示を示す加工データを生成し前記変換装置に伝送する加工データ生成伝送手段と、を備え、
前記変換装置は、
前記変換データに基づいて前記出力データの変換を行い、出力の際には使用しないプレビュー処理用の前記表示データを生成し、前記要求信号が伝送されたとき、当該表示データを前記データ生成装置に伝送する表示データ生成伝送手段と、
前記加工データが伝送されたとき、当該加工データと、前記変換データとに基づいて前記出力データの変換を行い、変換出力データを生成する加工手段と、を備え、
更に前記出力装置は、前記変換出力データを出力することを特徴とする出力制御システム。
【請求項２】
請求項１に記載の出力制御システムにおいて、
前記加工データは、前記変換出力データの一部を指定するための指定データであると共に、
前記加工手段は、前記指定データが伝送されたとき、当該指定データにより指定された部分に対応する前記変換出力データを生成することを特徴とする出力制御システム。
【請求項３】
請求項１又は２に記載の出力制御システムにおいて、
前記加工データは、前記変換出力データを複数に分割するための分割データであると共に、
前記加工手段は、前記分割データが伝送されたとき、当該分割データに基づいて分割単位毎に前記変換出力データを生成し、更に前記出力装置は、前記生成された変換出力データにおける分割単位毎に出力することを特徴とする出力制御システム。
【請求項４】
請求項１から３のいずれか一項に記載の出力制御システムにおいて、
前記加工データは、前記変換出力データを出力する際の発色を補正する補正データであると共に、
前記加工手段は、前記補正データが伝送されたとき、当該補正データに基づいて補正された前記変換出力データを生成することを特徴とする出力制御システム。
【請求項５】
請求項１から４のいずれか一項に記載の出力制御システムにおいて、
前記加工データは、前記変換出力データの出力サイズを変更する変更データであると共に、
前記加工手段は、前記変更データが伝送されたとき、当該変更データに基づいて前記出力サイズを変更した前記変換出力データを生成することを特徴とする出力制御システム。
【請求項６】
出力すべき出力データを生成すると共に、表示データに対応する画像を表示する表示手段を備えるデータ生成装置と、前記出力データを変換データを用いて変換すると共に前記表示データを生成する変換装置と、前記変換された出力データを出力する出力装置と、を備える出力制御システムにおける出力制御方法であって、
前記データ生成装置において、出力装置における出力前に、前記表示データを要求する要求信号を生成し前記変換装置に伝送する要求工程と、
前記変換装置において、前記変換データに基づいて前記出力データの変換を行い、出力の際には使用しないプレビュー処理用の前記表示データを生成し、前記要求信号が伝送されたとき、当該表示データを前記データ生成装置に伝送する表示データ生成伝送工程と、
前記データ生成装置において、前記表示データに対応して表示される画像を用いて、前記出力データの加工の指示を示す加工データを生成し前記変換装置に伝送する加工データ生成伝送工程と、
前記変換装置において、前記加工データが伝送されたとき、当該加工データと、前記変換データとに基づいて前記出力データの変換を行い、変換出力データを生成する加工工程と、
前記出力装置において、前記変換出力データを出力する出力工程と、
を備えることを特徴とする出力制御方法。
【請求項７】
請求項６に記載の出力制御方法において、
前記加工データは、前記変換出力データの一部を指定するための指定データであると共に、
前記加工工程において、前記指定データが伝送されたとき、当該指定データにより指定された部分に対応する前記変換出力データを生成することを特徴とする出力制御方法。
【請求項８】
請求項６又は７に記載の出力制御方法において、
前記加工データは、前記変換出力データを複数に分割するための分割データであると共に、
前記加工工程において、前記分割データが伝送されたとき、当該分割データに基づいて分割単位毎に前記変換出力データを生成し、
更に前記出力工程において、前記生成された変換出力データにおける分割単位毎に出力することを特徴とする出力制御方法。
【請求項９】
請求項６から８のいずれか一項に記載の出力制御方法において、
前記加工データは、前記変換出力データを出力する際の発色を補正する補正データであると共に、
前記加工工程において、前記補正データが伝送されたとき、当該補正データに基づいて補正された前記変換出力データを生成することを特徴とする出力制御方法。
【請求項１０】
請求項６から９のいずれか一項に記載の出力制御方法において、
前記加工データは、前記変換出力データの出力サイズを変更する変更データであると共に、
前記加工工程において、前記変更データが伝送されたとき、当該変更データに基づいて前記出力サイズを変更した前記変換出力データを生成することを特徴とする出力制御方法。
【請求項１１】
出力すべき出力データを生成すると共に、表示データに対応する画像を表示する表示手段を備えるデータ生成装置と、前記出力データを変換データを用いて変換すると共に前記表示データを生成する変換装置と、前記変換された出力データを出力する出力装置と、を備える出力制御システムにおける出力制御を行うための出力制御プログラムを記録した記録媒体であって、
前記データ生成装置に含まれるコンピュータを、前記出力装置における出力前に、前記表示データを要求する要求信号を生成し前記変換装置に伝送する要求手段、及び、
前記表示データに対応して表示される画像を用いて、前記出力データの加工の指示を示す加工データを生成し前記変換装置に伝送する加工データ生成伝送手段、として機能させる第１出力制御プログラムと、
前記変換装置に含まれるコンピュータを、
前記変換データに基づいて前記出力データの変換を行い、出力の際には使用しないプレビュー処理用の前記表示データを生成し、前記要求信号が伝送されたとき、当該表示データを前記データ生成装置に伝送する表示データ生成伝送手段、及び、前記加工データが伝送されたとき、当該加工データと、前記変換データとに基づいて前記出力データの変換を行い、変換出力データを生成する加工手段、として機能させる第２出力制御プログラムと、
更に前記出力装置に含まれるコンピュータを、前記変換出力データを出力する出力手段として機能させる第３出力制御プログラムと、
により構成される前記出力制御プログラムを記録したことを特徴とする記録媒体。
【請求項１２】
請求項１１に記載の出力制御プログラムが記録された記録媒体において、
前記加工データは、前記変換出力データの一部を指定するための指定データであると共に、
前記加工手段として機能するコンピュータは、前記指定データが伝送されたとき、当該指定データにより指定された部分に対応する前記変換出力データを生成することを特徴とする出力制御プログラムが記録された記録媒体。
【請求項１３】
請求項１１又は１２に記載の出力制御プログラムが記録された記録媒体において、
前記加工データは、前記変換出力データを複数に分割するための分割データであると共に、
前記加工手段として機能するコンピュータは、前記分割データが伝送されたとき、当該分割データに基づいて分割単位毎に前記変換出力データを生成し、
更に前記出力手段として機能するコンピュータは、前記生成された変換出力データにおける分割単位毎に出力することを特徴とする出力制御プログラムが記録された記録媒体。
【請求項１４】
請求項１１から１３のいずれか一項に記載の出力制御プログラムが記録された記録媒体において、
前記加工データは、前記変換出力データを出力する際の発色を補正する補正データであると共に、
前記加工手段として機能するコンピュータは、前記補正データが伝送されたとき、当該補正データに基づいて補正された前記変換出力データを生成することを特徴とする出力制御プログラムが記録された記録媒体。
【請求項１５】
請求項１１から１４のいずれか一項に記載の出力制御プログラムが記録された記録媒体において、
前記加工データは、前記変換出力データの出力サイズを変更する変更データであると共に、
前記加工手段として機能するコンピュータは、前記変更データが伝送されたとき、当該変更データに基づいて前記出力サイズを変更した前記変換出力データを生成することを特徴とする出力制御プログラムが記録された記録媒体。
【請求項１６】
出力データを変換データを用いて変換すると共に表示データを生成する変換装置と、前記変換された出力データを出力する出力装置とを備える出力制御システムに用いられ、かつ出力すべき出力データを生成すると共に、表示データに対応する画像を表示する表示手段を備えるデータ生成装置であって、
前記出力装置における出力前に、前記表示データを要求する要求信号を生成し前記変換装置に伝送する要求手段と、
前記表示データに対応して表示される画像を用いて、前記出力データの加工の指示を示す加工データを生成し前記変換装置に伝送する加工データ生成伝送手段と、
前記変換装置において前記変換データに基づいて前記出力データの変換を行い、出力の際には使用しないプレビュー処理用の前記表示データを前記要求信号によって受信する受信手段と、
を備えたことを特徴とする出力制御システムに用いるデータ生成装置。
【請求項１７】
請求項１６に記載の出力制御システムに用いるデータ生成装置において、
前記加工データは、前記変換出力データの一部を指定するための指定データであることを特徴とする出力制御システムに用いるデータ生成装置。
【請求項１８】
請求項１６又は１７に記載の出力制御システムに用いるデータ生成装置において、
前記加工データは、前記変換出力データを複数に分割するための分割データであることを特徴とする出力制御システムに用いるデータ生成装置。
【請求項１９】
請求項１６から１８のいずれか一項に記載の出力制御システムに用いるデータ生成装置において、
前記加工データは、前記変換出力データを出力する際の発色を補正する補正データであることを特徴とする出力制御システムに用いるデータ生成装置。
【請求項２０】
請求項１６から１９のいずれか一項に記載の出力制御システムに用いるデータ生成装置において、
前記加工データは、前記変換出力データの出力サイズを変更する変更データであることを特徴とする出力制御システムに用いるデータ生成装置。
【請求項２１】
出力すべき出力データを生成すると共に、表示データに対応する画像を表示する表示手段を備えるデータ生成装置と、出力データを出力する出力装置とを備える出力制御システムに用いられ、かつ前記データ生成装置によって生成された出力データを変換データを用いて変換すると共に前記表示データを生成するデータ変換装置であって、
前記変換データに基づいて前記出力データの変換を行い、出力の際には使用しないプレビュー処理用の前記表示データを生成し、前記要求信号が伝送されたとき、当該表示データを前記データ生成装置に伝送する表示データ生成伝送手段と、
前記データ生成装置によって生成された加工データが伝送されたとき、当該加工データと、前記変換データとに基づいて前記出力データの変換を行い、前記出力装置に出力するための変換出力データを生成する加工手段と、
を備えたことを特徴とする出力制御システムに用いるデータ変換装置。
【請求項２２】
請求項２１に記載の出力制御システムに用いるデータ変換装置において、
前記加工手段は、前記変換出力データの一部を指定するための指定データが伝送されたとき、当該指定データにより指定された部分に対応する前記変換出力データを生成することを特徴とする出力制御システムに用いるデータ変換装置。
【請求項２３】
請求項２１又は２２に記載の出力制御システムに用いるデータ変換装置において、
前記加工手段は、前記変換出力データを複数に分割するための分割データが伝送されたとき、当該分割データに基づいて分割単位毎に前記変換出力データを生成することを特徴とする出力制御システムに用いるデータ変換装置。
【請求項２４】
請求項２１から２３のいずれか一項に記載の出力制御システムに用いるデータ変換装置において、
前記加工手段は、前記変換出力データを出力する際の発色を補正する補正データが伝送されたとき、当該補正データに基づいて補正された前記変換出力データを生成することを特徴とする出力制御システムに用いるデータ変換装置。
【請求項２５】
請求項２１から２４のいずれか一項に記載の出力制御システムに用いるデータ変換装置において、
前記加工手段は、前記変換出力データの出力サイズを変更する変更データが伝送されたとき、当該変更データに基づいて前記出力サイズを変更した前記変換出力データを生成することを特徴とする出力制御システムに用いるデータ変換装置。
【請求項２６】
出力すべき出力データを生成すると共に、表示データに対応する画像を表示する表示手段を備えるデータ生成装置と、出力データを出力する出力装置とを備える出力制御システムに用いられ、かつ前記データ生成装置によって生成された出力データを変換データを用いて変換すると共に前記表示データを生成するデータ変換装置におけるデータ変換制御方法であって、
前記変換データに基づいて前記出力データの変換を行い、出力の際には使用しないプレビュー処理用の前記表示データを生成し、前記要求信号が伝送されたとき、当該表示データを前記データ生成装置に伝送する表示データ生成伝送工程と、
前記データ生成装置によって生成された加工データが伝送されたとき、当該加工データと、前記変換データとに基づいて前記出力データの変換を行い、前記出力装置に出力するための変換出力データを生成する加工工程と、
を備えたことを特徴とするデータ変換制御方法。
【請求項２７】
請求項２６に記載のデータ変換制御方法において、
前記加工工程において、前記変換出力データの一部を指定するための指定データが伝送されたとき、当該指定データにより指定された部分に対応する前記変換出力データを生成することを特徴とするデータ変換制御方法。
【請求項２８】
請求項２６又は２７に記載のデータ変換制御方法において、
前記加工工程において、前記変換出力データを複数に分割するための分割データが伝送されたとき、当該分割データに基づいて分割単位毎に前記変換出力データを生成することを特徴とするデータ変換制御方法。
【請求項２９】
請求項２６から２８のいずれか一項に記載の出力制御システムに用いるデータ変換制御方法において、
前記加工工程は、前記変換出力データを出力する際の発色を補正する補正データが伝送されたとき、当該補正データに基づいて補正された前記変換出力データを生成することを特徴とする出力制御システムに用いるデータ変換制御方法。
【請求項３０】
請求項２６から２９のいずれか一項に記載のデータ変換制御方法において、
前記加工工程は、前記変換出力データの出力サイズを変更する変更データが伝送されたとき、当該変更データに基づいて前記出力サイズを変更した前記変換出力データを生成することを特徴とするデータ変換制御方法。
【請求項３１】
出力すべき出力データを生成すると共に、表示データに対応する画像を表示する表示手段を備えるデータ生成装置と、出力データを出力する出力装置とを備える出力制御システムに用いられ、かつ前記データ生成装置によって生成された出力データを変換データを用いて変換すると共に前記表示データを生成するデータ変換装置におけるデータ変換制御を行うためのデータ変換制御プログラムを記録した記録媒体であって、
前記データ変換装置に含まれるコンピュータを、
前記変換データに基づいて前記出力データの変換を行い、出力の際には使用しないプレビュー処理用の前記表示データを生成し、前記要求信号が伝送されたとき、当該表示データを前記データ生成装置に伝送する表示データ生成伝送手段、及び、
前記データ生成装置によって生成された加工データが伝送されたとき、当該加工データと、前記変換データとに基づいて前記出力データの変換を行い、前記出力装置に出力するための変換出力データを生成する加工手段、
として機能させるためのデータ変換制御プログラムを記録したことを特徴とする記録媒体。
【請求項３２】
請求項３１に記載のデータ変換制御プログラムを記録した記録媒体において、
前記加工手段として機能するコンピュータは、前記変換出力データの一部を指定するための指定データが伝送されたとき、当該指定データにより指定された部分に対応する前記変換出力データを生成することを特徴とするデータ変換制御プログラムを記録した記録媒体。
【請求項３３】
請求項３１又は３２に記載のデータ変換制御プログラムを記録した記録媒体において、
前記加工手段として機能するコンピュータは、前記変換出力データを複数に分割するための分割データが伝送されたとき、当該分割データに基づいて分割単位毎に前記変換出力データを生成することを特徴とするデータ変換制御プログラムを記録した記録媒体。
【請求項３４】
請求項３１から３３のいずれか一項に記載のデータ変換制御プログラムを記録した記録媒体において、
前記加工手段として機能するコンピュータは、前記変換出力データを出力する際の発色を補正する補正データが伝送されたとき、当該補正データに基づいて補正された前記変換出力データを生成することを特徴とするデータ変換制御プログラムを記録した記録媒体。
【請求項３５】
請求項３１から３４のいずれか一項に記載のデータ変換制御プログラムを記録した記録媒体において、
前記加工手段として機能するコンピュータは、前記変換出力データの出力サイズを変更する変更データが伝送されたとき、当該変更データに基づいて前記出力サイズを変更した前記変換出力データを生成することを特徴とするデータ変換制御プログラムを記録した記録媒体。
【発明の詳細な説明】
【０００１】
【発明の属する技術分野】
本発明は、コンピュータ等のデータ生成装置に接続されているプリンタ等の出力装置におけるデータの出力に先立って、当該出力の態様をデータ生成装置において確認する、いわゆるプレビュー処理の技術分野に属する。
【０００２】
【従来の技術】
従来、上記データ生成装置上で、出力装置により出力されるデータを表示するプレビュー処理が一般的に行われているが、その場合には、上記出力装置にデータを伝送する前にデータ生成装置上で当該データ生成装置に備えられているフォント等を用いて行われていた。
【０００３】
一方、従来、上記出力装置におけるデータの出力の際に、出力すべきデータの一部のみを指定して出力する、いわゆるトリミング処理（例えば、印刷出力すべき画像の周辺部を削除する場合等に行われる処理）や、出力すべきデータの大きさ（具体的には、例えば当該データ全体の出力に必要な用紙の大きさ）が出力装置において一度に出力することができない大きさである場合に当該データを複数の部分データに分解し、当該部分データ毎に出力する、いわゆるタイリング処理を行うことがある。
【０００４】
そして、当該トリミング処理のための出力すべき部分の指定やタイリング処理のための分割線の指定をプレビュー処理における画面上で指定することが可能であったが、この場合にも、出力装置にデータを伝送する前にデータ生成装置上で当該データ生成装置に備えられているフォント等を用いて表示されているプレビュー処理の画面上で行われていた。
【０００５】
更に他方で、従来、出力装置における出力時の発色の状態をより使用者の所望する発色状態に近づけるため、プレビュー処理の画面上で発色についての補正を施すいわゆる色補正を行う場合があった。そして、この場合にも、データ生成装置上で当該データ生成装置に備えられているフォント等を用いて表示されているプレビュー処理の画面上で色補正が行われていた。
【０００６】
更に、従来、出力装置における出力時の出力サイズの変更を行うため、プレビュー処理の画面上で出力サイズを指定する場合があった。そして、この場合にも、データ生成装置上で当該データ生成装置に備えられているフォント等を用いて表示されているプレビュー処理の画面上で出力サイズの指定が行われていた。
【０００７】
【発明が解決しようとする課題】
しかしながら、近年においては、複数のデータ生成装置で一台の出力装置を共用する場合が多く、この場合には、プレビューのためにデータ生成装置が備えているフォント等と実際に出力装置がデータ出力に用いるフォント等とが異なったり、また、データ生成装置が備えている画像形成プログラムと出力装置が備えている画像形成プログラムとが異なる場合が多く発生する。そして、その場合には、実際に出力される形態に近いプレビュー処理ができず、従って、実際に出力される形態に近い状態での上記トリミング処理範囲の指定やタイリング処理範囲の指定或は色補正もできずに、実際に出力されたデータにおけるトリミング処理された範囲やタイリング処理された範囲が使用者の所望する範囲とは異なる場合、又は実際に出力されたデータにおける発色が使用者の所望する発色と異なる場合があるという問題点が生じていた。
【０００８】
更に実際の出力形態に近いプレビュー処理ができないと、出力サイズの指定をプレビュー処理の画面上で実行した場合に、実際に出力されるデータのサイズがプレビュー処理の画面上で指定した出力サイズと異なる場合があるという問題点も生じていた。
【０００９】
そこで、本発明は、上記の問題点に鑑みて為されたもので、その課題は、プレビュー処理においてトリミング範囲やタイリング範囲を指定する場合又は色補正或は出力サイズの指定を実行する場合に、実際に出力されるデータにおけるトリミング範囲及びタイリング範囲が使用者が指定した夫々の範囲に対してより忠実になると共に、当該出力されるデータにおける色補正及び出力サイズが使用者が所望する色補正及び出力サイズに対してより忠実に実行することが可能な出力制御システム及び出力制御方法並びに出力制御プログラムを記録した記録媒体を提供することにある。
【００１０】
【課題を解決するための手段】
上記の課題を解決するために、請求項１に記載の発明は、出力すべき出力データを生成すると共に、表示データに対応する画像を表示するディスプレイ等の表示手段を備えるデータ生成装置と、前記出力データを変換データを用いて変換すると共に前記表示データを生成するデータ変換器等の変換装置と、前記変換された出力データを出力するプリンタ等の出力装置と、を備える出力制御システムであって、前記データ生成装置は、前記出力装置における出力前に、前記表示データを要求する要求信号を生成し前記変換装置に伝送するＣＰＵ等の要求手段と、前記表示データに対応して表示される画像を用いて、前記出力データの加工の指示を示す加工データを生成し前記変換装置に伝送するＣＰＵ等の加工データ生成伝送手段と、を備え、前記変換装置は、前記変換データに基づいて前記出力データの変換を行い、出力の際には使用しないプレビュー処理用の前記表示データを生成し、前記要求信号が伝送されたとき、当該表示データを前記データ生成装置に伝送する表示データ生成伝送手段と、前記加工データが伝送されたとき、当該加工データと、前記変換データとに基づいて前記出力データの変換を行い、変換出力データを生成するＣＰＵ等の加工手段と、を備え、更に前記出力装置は、前記変換出力データを出力するように構成される。
【００１１】
請求項１に記載の発明の作用によれば、データ生成装置に含まれる要求手段は、出力装置における出力前に、表示データを要求する要求信号を生成し変換装置に伝送する。
【００１２】
そして、変換装置における表示データ生成伝送手段は、変換データに基づいて出力データの変換を行い、出力の際には使用しないプレビュー処理用の表示データを生成し、要求信号が伝送されたときデータ生成装置に伝送する。
【００１３】
一方、データ生成装置における加工データ生成伝送手段は、表示データに対応して表示される画像を用いて、出力データの加工の指示を示す加工データを生成し変換装置に伝送する。
【００１４】
その後、変換装置における加工手段は、加工データが伝送されたとき、当該加工データと、前記変換データとに基づいて前記出力データの変換を行い、変換出力データを生成する。
【００１５】
最後に、出力装置は、変換出力データを出力する。
【００１６】
よって、変換データに基づいて出力データの変換を行い、出力の際には使用しないプレビュー処理用の表示データ用いて加工データを生成し、当該加工データと、前記変換データとに基づいて出力データの変換を行い変換出力データを出力するので、出力装置におけるデータの出力前に実際に出力される変換出力データの態様を正確且つ忠実にデータ生成装置において把握することができる。
【００１７】
上記の課題を解決するために、請求項２に記載の発明は、請求項１に記載の出力制御システムにおいて、前記加工データは、前記変換出力データの一部を指定するための指定データであると共に、前記加工手段は、前記指定データが伝送されたとき、当該指定データにより指定された部分に対応する前記変換出力データを生成するように構成される。
【００１８】
請求項２に記載の発明の作用によれば、請求項１に記載の発明の作用に加えて、加工データが、変換出力データの一部を指定するための指定データであると共に、加工手段は、指定データが伝送されたとき、当該指定データにより指定された部分に対応する変換出力データを生成する。
【００１９】
よって、変換出力データの一部を指定してその部分を出力する場合でも、出力後の態様を正確且つ忠実にデータ生成装置において把握することができる。
【００２０】
上記の課題を解決するために、請求項３に記載の発明は、請求項１又は２に記載の出力制御システムにおいて、前記加工データは、前記変換出力データを複数に分割するための分割データであると共に、前記加工手段は、前記分割データが伝送されたとき、当該分割データに基づいて分割単位毎に前記変換出力データを生成し、更に前記出力装置は、前記生成された変換出力データにおける分割単位毎に出力するように構成される。
【００２１】
請求項３に記載の発明の作用によれば、請求項１又は２に記載の発明の作用に加えて、加工データが、変換出力データを複数に分割するための分割データであると共に、加工手段は、分割データが伝送されたとき、当該分割データに基づいて分割単位毎に変換出力データを生成し、更に出力装置は、生成された変換出力データにおける分割単位毎に出力する。
【００２２】
よって、変換出力データを分割して当該分割単位毎に出力する場合でも、出力後の態様を正確且つ忠実にデータ生成装置において把握することができる。
【００２３】
上記の課題を解決するために、請求項４に記載の発明は、請求項１から３のいずれか一項に記載の出力制御システムにおいて、前記加工データは、前記変換出力データを出力する際の発色を補正する補正データであると共に、前記加工手段は、前記補正データが伝送されたとき、当該補正データに基づいて補正された前記変換出力データを生成するように構成される。
【００２４】
請求項４に記載の発明の作用によれば、請求項１から３のいずれか一項に記載の発明の作用に加えて、加工データが、変換出力データを出力する際の発色を補正する補正データであると共に、加工手段は、補正データが伝送されたとき、当該補正データに基づいて補正された変換出力データを生成する。
【００２５】
よって、変換出力データの出力時における発色を補正して出力する場合でも、出力後の態様を正確且つ忠実にデータ生成装置において把握することができる。
【００２６】
上記の課題を解決するために、請求項５に記載の発明は、請求項１から４のいずれか一項に記載の出力制御システムにおいて、前記加工データは、前記変換出力データの出力サイズを変更する変更データであると共に、前記加工手段は、前記変更データが伝送されたとき、当該変更データに基づいて前記出力サイズを変更した前記変換出力データを生成するように構成される。
【００２７】
請求項５に記載の発明の作用によれば、請求項１から４のいずれか一項に記載の発明の作用に加えて、加工データが変換出力データの出力サイズを変更する変更データであると共に、加工手段は、変更データが伝送されたとき、当該変更データに基づいて出力サイズを変更した変換出力データを生成する。
【００２８】
よって、変換出力データの出力時におけるサイズを変更して出力する場合でも、出力後の態様を正確且つ忠実にデータ生成装置において把握することができる。
【００２９】
上記の課題を解決するために、請求項６に記載の発明は、出力すべき出力データを生成すると共に、表示データに対応する画像を表示するディスプレイ等の表示手段を備えるコンピュータ等のデータ生成装置と、前記出力データを変換データを用いて変換すると共に前記表示データを生成するデータ変換器等の変換装置と、前記変換された出力データを出力するプリンタ等の出力装置と、を備える出力制御システムにおける出力制御方法であって、前記データ生成装置において、出力装置における出力前に、前記表示データを要求する要求信号を生成し前記変換装置に伝送する要求工程と、前記変換装置において、前記変換データに基づいて前記出力データの変換を行い、出力の際には使用しないプレビュー処理用の前記表示データを生成し、前記要求信号が伝送されたとき、当該表示データを前記データ生成装置に伝送する表示データ生成伝送工程と、前記データ生成装置において、
前記表示データに対応して表示される画像を用いて、前記出力データの加工の指示を示す加工データを生成し前記変換装置に伝送する加工データ生成伝送工程と、前記変換装置において、前記加工データが伝送されたとき、当該加工データと、前記変換データとに基づいて前記出力データの変換を行い、変換出力データを生成する加工工程と、前記出力装置において、前記変換出力データを出力する出力工程と、を備える。
【００３０】
請求項６に記載の発明の作用によれば、データ生成装置における要求工程において、出力装置における出力前に、表示データを要求する要求信号を生成し変換装置に伝送する。
【００３１】
そして、変換装置における表示データ生成伝送工程において、変換データに基づいて出力データの変換を行い、出力の際には使用しないプレビュー処理用の表示データを生成し、要求信号が伝送されたときデータ生成装置に伝送する。
【００３２】
一方、データ生成装置における加工データ生成伝送工程において、表示データに対応して表示される画像を用いて、出力データの加工の指示を示す加工データを生成し変換装置に伝送する。
【００３３】
その後、変換装置における加工工程において、加工データが伝送されたとき、当該加工データと、前記変換データとに基づいて前記出力データの変換を行い、変換出力データを生成する。
【００３４】
最後に、出力装置における出力工程において、変換出力データを出力する。
【００３５】
よって、変換データに基づいて出力データの変換を行い、出力の際には使用しないプレビュー処理用の表示データ用いて加工データを生成し、当該加工データと、前記変換データとに基づいて出力データの変換を行い変換出力データを出力するので、出力装置におけるデータの出力前に実際に出力される変換出力データの態様を正確且つ忠実にデータ生成装置において把握することができる。
【００３６】
上記の課題を解決するために、請求項７に記載の発明は、請求項６に記載の出力制御方法において、前記加工データは、前記変換出力データの一部を指定するための指定データであると共に、前記加工工程において、前記指定データが伝送されたとき、当該指定データにより指定された部分に対応する前記変換出力データを生成するように構成される。
【００３７】
請求項７に記載の発明の作用によれば、請求項６に記載の発明の作用に加えて、加工データが、変換出力データの一部を指定するための指定データであると共に、加工工程において、指定データが伝送されたとき、当該指定データにより指定された部分に対応する変換出力データを生成する。
【００３８】
よって、変換出力データの一部を指定してその部分を出力する場合でも、出力後の態様を正確且つ忠実にデータ生成装置において把握することができる。
【００３９】
上記の課題を解決するために、請求項８に記載の発明は、請求項６又は７に記載の出力制御方法において、前記加工データは、前記変換出力データを複数に分割するための分割データであると共に、前記加工工程において、前記分割データが伝送されたとき、当該分割データに基づいて分割単位毎に前記変換出力データを生成し、更に前記出力工程において、前記生成された変換出力データにおける分割単位毎に出力するように構成される。
【００４０】
請求項８に記載の発明の作用によれば、請求項６又は７に記載の発明の作用に加えて、加工データが、変換出力データを複数に分割するための分割データであると共に、加工工程において、分割データが伝送されたとき、当該分割データに基づいて分割単位毎に変換出力データを生成し、更に出力装置は、生成された変換出力データにおける分割単位毎に出力する。
【００４１】
よって、変換出力データを分割して当該分割単位毎に出力する場合でも、出力後の態様を正確且つ忠実にデータ生成装置において把握することができる。
【００４２】
上記の課題を解決するために、請求項９に記載の発明は、請求項６から８のいずれか一項に記載の出力制御方法において、前記加工データは、前記変換出力データを出力する際の発色を補正する補正データであると共に、前記加工工程において、前記補正データが伝送されたとき、当該補正データに基づいて補正された前記変換出力データを生成するように構成される。
【００４３】
請求項９に記載の発明の作用によれば、請求項６から８のいずれか一項に記載の発明の作用に加えて、加工データが、変換出力データを出力する際の発色を補正する補正データであると共に、加工工程において、補正データが伝送されたとき、当該補正データに基づいて補正された変換出力データを生成する。
【００４４】
よって、変換出力データの出力時における発色を補正して出力する場合でも、出力後の態様を正確且つ忠実にデータ生成装置において把握することができる。
【００４５】
上記の課題を解決するために、請求項１０に記載の発明は、請求項６から９のいずれか一項に記載の出力制御方法において、前記加工データは、前記変換出力データの出力サイズを変更する変更データであると共に、前記加工工程において、前記変更データが伝送されたとき、当該変更データに基づいて前記出力サイズを変更した前記変換出力データを生成するように構成される。
【００４６】
請求項１０に記載の発明の作用によれば、請求項６から９のいずれか一項に記載の発明の作用に加えて、加工データが変換出力データの出力サイズを変更する変更データであると共に、加工工程において、変更データが伝送されたとき、当該変更データに基づいて出力サイズを変更した変換出力データを生成する。
【００４７】
よって、変換出力データの出力時におけるサイズを変更して出力する場合でも、出力後の態様を正確且つ忠実にデータ生成装置において把握することができる。
【００４８】
上記の課題を解決するために、請求項１１に記載の発明は、出力すべき出力データを生成すると共に、表示データに対応する画像を表示するディスプレイ等の表示手段を備えるコンピュータ等のデータ生成装置と、前記出力データを変換データを用いて変換すると共に前記表示データを生成するデータ変換器等の変換装置と、前記変換された出力データを出力するプリンタ等の出力装置と、を備える出力制御システムにおける出力制御を行うための出力制御プログラムを記録したＲＯＭ、フレキシブルディスク等の記録媒体であって、前記データ生成装置に含まれるコンピュータを、前記出力装置における出力前に、前記表示データを要求する要求信号を生成し前記変換装置に伝送する要求手段、及び、前記表示データに対応して表示される画像を用いて、前記出力データの加工の指示を示す加工データを生成し前記変換装置に伝送する加工データ生成伝送手段、として機能させる第１出力制御プログラムと、前記変換データに基づいて前記出力データの変換を行い、出力の際には使用しないプレビュー処理用の前記表示データを生成し、前記要求信号が伝送されたとき、当該表示データを前記データ生成装置に伝送する表示データ生成伝送手段、及び、前記加工データが伝送されたとき、当該加工データと、前記変換データとに基づいて前記出力データの変換を行い、変換出力データを生成する加工手段、として機能させる第２出力制御プログラムと、更に前記出力装置に含まれるコンピュータを、前記変換出力データを出力する出力手段として機能させる第３出力制御プログラムと、により構成される前記出力制御プログラムを記録して構成される。
【００４９】
請求項１１に記載の発明の作用によれば、要求手段として機能するコンピュータは、出力装置における出力前に、表示データを要求する要求信号を生成し変換装置に伝送する。
【００５０】
そして、表示データ生成伝送手段として機能するコンピュータは、変換データに基づいて出力データの変換を行い、出力の際には使用しないプレビュー処理用の表示データを生成し、要求信号が伝送されたときデータ生成装置に伝送する。
【００５１】
一方、加工データ生成伝送手段として機能するコンピュータは、表示データに対応して表示される画像を用いて、出力データの加工の指示を示す加工データを生成し変換装置に伝送する。
【００５２】
その後、加工手段として機能するコンピュータは、加工データが伝送されたとき、当該加工データと、前記変換データとに基づいて前記出力データの変換を行い、変換出力データを生成する。
【００５３】
最後に、出力手段として機能するコンピュータは、変換出力データを出力する。
【００５４】
よって、変換データに基づいて出力データの変換を行い、出力の際には使用しないプレビュー処理用の表示データ用いて加工データを生成し、当該加工データと、前記変換データとに基づいて出力データの変換を行い変換出力データを出力するので、出力装置におけるデータの出力前に実際に出力される変換出力データの態様を正確且つ忠実にデータ生成装置において把握することができる。
【００５５】
上記の課題を解決するために、請求項１２に記載の発明は、請求項１１に記載の出力制御プログラムが記録された記録媒体において、前記加工データは、前記変換出力データの一部を指定するための指定データであると共に、前記加工手段として機能するコンピュータは、前記指定データが伝送されたとき、当該指定データにより指定された部分に対応する前記変換出力データを生成することを特徴とする出力制御プログラムが記録されて構成される。
【００５６】
請求項１２に記載の発明の作用によれば、請求項１１に記載の発明の作用に加えて、加工データが、変換出力データの一部を指定するための指定データであると共に、加工手段として機能するコンピュータは、指定データが伝送されたとき、当該指定データにより指定された部分に対応する変換出力データを生成する。
【００５７】
よって、変換出力データの一部を指定してその部分を出力する場合でも、出力後の態様を正確且つ忠実にデータ生成装置において把握することができる。
【００５８】
上記の課題を解決するために、請求項１３に記載の発明は、請求項１１又は１２に記載の出力制御プログラムが記録された記録媒体において、前記加工データは、前記変換出力データを複数に分割するための分割データであると共に、前記加工手段として機能するコンピュータは、前記分割データが伝送されたとき、当該分割データに基づいて分割単位毎に前記変換出力データを生成し、更に前記出力手段として機能するコンピュータは、前記生成された変換出力データにおける分割単位毎に出力することを特徴とする出力制御プログラムが記録されて構成される。
【００５９】
請求項１３に記載の発明の作用によれば、請求項１１又は１２に記載の発明の作用に加えて、加工データが、変換出力データを複数に分割するための分割データであると共に、加工手段として機能するコンピュータは、分割データが伝送されたとき、当該分割データに基づいて分割単位毎に変換出力データを生成し、更に出力手段として機能するコンピュータは、生成された変換出力データにおける分割単位毎に出力する。
【００６０】
よって、変換出力データを分割して当該分割単位毎に出力する場合でも、出力後の態様を正確且つ忠実にデータ生成装置において把握することができる。
【００６１】
上記の課題を解決するために、請求項１４に記載の発明は、請求項１１から１３のいずれか一項に記載の出力制御プログラムが記録された記録媒体において、前記加工データは、前記変換出力データを出力する際の発色を補正する補正データであると共に、前記加工手段として機能するコンピュータは、前記補正データが伝送されたとき、当該補正データに基づいて補正された前記変換出力データを生成することを特徴とする出力制御プログラムが記録されて構成される。
【００６２】
請求項１４に記載の発明の作用によれば、請求項１１から１３のいずれか一項に記載の発明の作用に加えて、加工データが、変換出力データを出力する際の発色を補正する補正データであると共に、加工手段として機能するコンピュータは、補正データが伝送されたとき、当該補正データに基づいて補正された変換出力データを生成する。
【００６３】
よって、変換出力データの出力時における発色を補正して出力する場合でも、出力後の態様を正確且つ忠実にデータ生成装置において把握することができる。
【００６４】
上記の課題を解決するために、請求項１５に記載の発明は、請求項１１から１４のいずれか一項に記載の出力制御プログラムが記録された記録媒体において、前記加工データは、前記変換出力データの出力サイズを変更する変更データであると共に、前記加工手段として機能するコンピュータは、前記変更データが伝送されたとき、当該変更データに基づいて前記出力サイズを変更した前記変換出力データを生成することを特徴とする出力制御プログラムが記録されて構成される。
【００６５】
請求項１５に記載の発明の作用によれば、請求項１１から１４のいずれか一項に記載の発明の作用に加えて、加工データが変換出力データの出力サイズを変更する変更データであると共に、加工手段として機能するコンピュータは、変更データが伝送されたとき、当該変更データに基づいて出力サイズを変更した変換出力データを生成する。
【００６６】
よって、変換出力データの出力時におけるサイズを変更して出力する場合でも、出力後の態様を正確且つ忠実にデータ生成装置において把握することができる。
上記の課題を解決するために、請求項１６に記載の発明は、出力データを変換データを用いて変換すると共に表示データを生成する変換装置と、前記変換された出力データを出力する出力装置とを備える出力制御システムに用いられ、かつ出力すべき出力データを生成すると共に、表示データに対応する画像を表示する表示手段を備えるデータ生成装置であって、前記出力装置における出力前に、前記表示データを要求する要求信号を生成し前記変換装置に伝送する要求手段と、前記表示データに対応して表示される画像を用いて、前記出力データの加工の指示を示す加工データを生成し前記変換装置に伝送する加工データ生成伝送手段と、前記変換装置において前記変換データに基づいて前記出力データの変換を行い、出力の際には使用しないプレビュー処理用の前記表示データを前記要求信号によって受信する受信手段と、を備える。
請求項１６に記載の発明の作用によれば、データ生成装置に含まれる要求手段は、出力装置における出力前に、表示データを要求する要求信号を生成し変換装置に伝送する。そして、変換装置に含まれる表示データ生成伝送手段は、変換データに基づいて前記出力データの変換を行い、出力の際には使用しないプレビュー処理用の前記表示データを生成し、要求信号が伝送されたときデータ生成装置に伝送する。一方、データ生成装置に含まれる加工データ生成伝送手段は、表示データに対応して表示される画像を用いて、出力データの加工の指示を示す加工データを生成し変換装置に伝送する。そして、データ生成装置に含まれる受信手段は、記変換装置において変換データに基づいて前記出力データの変換を行い、生成された出力の際には使用しないプレビュー処理用の前記表示データを前記要求信号によって受信する。
よって、変換データに基づいて前記出力データの変換を行い、出力の際には使用しないプレビュー処理用に生成された表示データを用いて加工データを生成し、当該加工データと、前記変換データとに基づいて前記出力データの変換を行い生成された変換出力データを出力するので、出力装置におけるデータの出力前に実際に出力される変換出力データの態様を正確且つ忠実にデータ生成装置において把握することができる。
上記の課題を解決するために、請求項１７に記載の発明は、請求項１６に記載の出力制御システムに用いるデータ生成装置において、前記加工データは、前記変換出力データの一部を指定するための指定データである。
請求項１７に記載の発明の作用によれば、請求項１６に記載の発明の作用に加えて、前記加工データが、前記変換出力データの一部を指定するための指定データとして用いられる。
よって、変換出力データの一部を指定してその部分を出力する場合でも、出力後の態様を正確且つ忠実にデータ生成装置において把握することができる。
上記の課題を解決するために、請求項１８に記載の発明は、請求項１６又は１７に記載の出力制御システムに用いるデータ生成装置において、前記加工データは、前記変換出力データを複数に分割するための分割データである。
請求項１８に記載の発明の作用によれば、請求項１６又は１７に記載の発明の作用に加えて、加工データが、変換出力データを複数に分割するための分割データとして用いられる。
よって、変換出力データを分割して当該分割単位毎に出力する場合でも、出力後の態様を正確且つ忠実にデータ生成装置において把握することができる。
上記の課題を解決するために、請求項１９に記載の発明は、請求項１６から１８のいずれか一項に記載の出力制御システムに用いるデータ生成装置において、前記加工データは、前記変換出力データを出力する際の発色を補正する補正データである。
請求項１９に記載の発明の作用によれば、請求項１６から１８のいずれか一項に記載の発明の作用に加えて、加工データが、変換出力データを出力する際の発色を補正する補正データとして用いられる。
よって、変換出力データの出力時における発色を補正して出力する場合でも、出力後の態様を正確且つ忠実にデータ生成装置において把握することができる。
上記の課題を解決するために、請求項２０に記載の発明は、請求項１６から１９のいずれか一項に記載の出力制御システムに用いるデータ生成装置において、前記加工データは、前記変換出力データの出力サイズを変更する変更データである。
請求項２０に記載の発明の作用によれば、請求項１６から１９のいずれか一項に記載の発明の作用に加えて、加工データが変換出力データの出力サイズを変更する変更データとして用いられる。
よって、変換出力データの出力時におけるサイズを変更して出力する場合でも、出力後の態様を正確且つ忠実にデータ生成装置において把握することができる。
上記の課題を解決するために、請求項２１に記載の発明は、出力すべき出力データを生成すると共に、表示データに対応する画像を表示する表示手段を備えるデータ生成装置と、出力データを出力する出力装置とを備える出力制御システムに用いられ、かつ前記データ生成装置によって生成された出力データを変換データを用いて変換すると共に前記表示データを生成するデータ変換装置であって、前記変換データに基づいて前記出力データの変換を行い、出力の際には使用しないプレビュー処理用の前記表示データを生成し、前記データ生成装置から前記要求信号が伝送されたとき、当該表示データを前記データ生成装置に伝送する表示データ生成伝送手段と、前記データ生成装置によって生成された加工データが伝送されたとき、当該加工データと、前記変換データとに基づいて前記出力データの変換を行い、変換出力データを生成する加工手段と、を備える。
請求項２１に記載の発明の作用によれば、データ変換装置に含まれる表示データ生成伝送手段は、変換データに基づいて前記出力データの変換を行い、出力の際には使用しないプレビュー処理用の前記表示データを生成し、前記データ生成装置から前記表示データを要求する要求信号が伝送されたとき、前記表示データをデータ生成装置に伝送する。その後、データ変換装置に含まれる加工手段は、前記データ生成装置によって生成された加工データが伝送されたとき、当該加工データと、前記変換データとに基づいて前記出力データの変換を行い、前記出力装置に出力するための変換出力データを生成する。
よって、変換データに基づいて前記出力データの変換を行い、出力の際には使用しないプレビュー処理用の前記表示データを用いて加工データを生成し、当該加工データと、前記変換データとに基づいて生成された変換出力データを出力するので、出力装置におけるデータの出力前に実際に出力される変換出力データの態様を正確且つ忠実にデータ生成装置において把握することができる。
上記の課題を解決するために、請求項２２に記載の発明は、請求項２１に記載の出力制御システムに用いるデータ変換装置において、前記加工手段は、前記変換出力データの一部を指定するための指定データが伝送されたとき、当該指定データにより指定された部分に対応する前記変換出力データを生成するように構成される。
請求項２２に記載の発明の作用によれば、請求項２１に記載の発明の作用に加えて、加工手段は、変換出力データの一部を指定するための指定データが伝送されたとき、当該指定データにより指定された部分に対応する変換出力データを生成する。
よって、変換出力データの一部を指定してその部分を出力する場合でも、出力後の態様を正確且つ忠実にデータ生成装置において把握することができる。
上記の課題を解決するために、請求項２３に記載の発明は、請求項２１又は２２に記載の出力制御システムに用いるデータ変換装置において、前記加工手段は、前記変換出力データを複数に分割するための分割データが伝送されたとき、当該分割データに基づいて分割単位毎に前記変換出力データを生成するように構成される。
請求項２３に記載の発明の作用によれば、請求項２１又は２２に記載の発明の作用に加えて、加工手段は、変換出力データを複数に分割するための分割データが伝送されたとき、当該分割データに基づいて分割単位毎に変換出力データを生成する。
よって、変換出力データを分割して当該分割単位毎に出力する場合でも、出力後の態様を正確且つ忠実にデータ生成装置において把握することができる。
上記の課題を解決するために、請求項２４に記載の発明は、請求項２１から２３のいずれか一項に記載の出力制御システムに用いるデータ変換装置において、前記加工手段は、前記変換出力データを出力する際の発色を補正する補正データが伝送されたとき、当該補正データに基づいて補正された前記変換出力データを生成するように構成される。
請求項２４に記載の発明の作用によれば、請求項２１から２３のいずれか一項に記載の発明の作用に加えて、加工手段は、前記変換出力データを出力する際の発色を補正する補正データが伝送されたとき、当該補正データに基づいて補正された変換出力データを生成する。
よって、変換出力データの出力時における発色を補正して出力する場合でも、出力後の態様を正確且つ忠実にデータ生成装置において把握することができる。
上記の課題を解決するために、請求項２５に記載の発明は、請求項２１から２４のいずれか一項に記載の出力制御システムに用いるデータ変換装置において、前記加工手段は、前記変換出力データの出力サイズを変更する変更データが伝送されたとき、当該変更データに基づいて前記出力サイズを変更した前記変換出力データを生成するように構成される。
請求項２５に記載の発明の作用によれば、請求項２１から２４のいずれか一項に記載の発明の作用に加えて、加工手段は、前記変換出力データの出力サイズを変更する変更データが伝送されたとき、当該変更データに基づいて出力サイズを変更した変換出力データを生成する。
よって、変換出力データの出力時におけるサイズを変更して出力する場合でも、出力後の態様を正確且つ忠実にデータ生成装置において把握することができる。
上記の課題を解決するために、請求項２６に記載の発明は、出力すべき出力データを生成すると共に、表示データに対応する画像を表示する表示手段を備えるデータ生成装置と、出力データを出力する出力装置とを備える出力制御システムに用いられ、かつ前記データ生成装置によって生成された出力データを変換データを用いて変換すると共に前記表示データを生成するデータ変換装置におけるデータ変換制御方法であって、前記変換データに基づいて前記出力データの変換を行い、出力の際には使用しないプレビュー処理用の前記表示データを生成し、前記データ生成装置から前記表示データを要求する要求信号が伝送されたとき、当該表示データを前記データ生成装置に伝送する表示データ生成伝送工程と前記データ生成装置によって生成された加工データが伝送されたとき、当該加工データと、前記変換データとに基づいて前記出力データの変換を行い、前記出力装置に出力するための変換出力データを生成する加工工程と、を備える。
請求項２６に記載の発明の作用によれば、変換装置における表示データ生成伝送工程において、変換データに基づいて前記出力データの変換を行い、出力の際には使用しないプレビュー処理用の前記表示データを生成し、要求信号が伝送されたときデータ生成装置に伝送する。その後、変換装置における加工工程において、加工データが伝送されたとき、当該加工データと、前記変換データとに基づいて前記出力データの変換を行い、前記出力装置に出力するための変換出力データを生成する。
よって、変換データに基づいて前記出力データの変換を行い、出力の際には使用しないプレビュー処理用の前記表示データを用いて加工データを生成し、当該加工データと、前記変換データとに基づいて前記出力データを用いて生成された変換出力データを出力するので、出力装置におけるデータの出力前に実際に出力される変換出力データの態様を正確且つ忠実にデータ生成装置において把握することができる。
上記の課題を解決するために、請求項２７に記載の発明は、請求項２６に記載のデータ変換制御方法において、前記加工工程において、前記変換出力データの一部を指定するための指定データが伝送されたとき、当該指定データにより指定された部分に対応する前記変換出力データを生成するように構成される。
請求項２７に記載の発明の作用によれば、請求項２６に記載の発明の作用に加えて、加工工程において、指定データが伝送されたとき、当該指定データにより指定された部分に対応する変換出力データを生成する。
よって、変換出力データの一部を指定してその部分を出力する場合でも、出力後の態様を正確且つ忠実にデータ生成装置において把握することができる。
上記の課題を解決するために、請求項２８に記載の発明は、請求項２６又は２７に記載のデータ変換制御方法において、前記加工工程において、前記変換出力データを複数に分割するための分割データが伝送されたとき、当該分割データに基づいて分割単位毎に前記変換出力データを生成するように構成される。
請求項２８に記載の発明の作用によれば、請求項２６又は２７に記載の発明の作用に加えて、加工工程において、分割データが伝送されたとき、当該分割データに基づいて分割単位毎に変換出力データを生成し、更に出力装置は、生成された変換出力データにおける分割単位毎に出力する。
よって、変換出力データを分割して当該分割単位毎に出力する場合でも、出力後の態様を正確且つ忠実にデータ生成装置において把握することができる。
上記の課題を解決するために、請求項２９に記載の発明は、請求項２６から２８のいずれか一項に記載の出力制御システムに用いるデータ変換制御方法において、前記加工工程は、前記変換出力データを出力する際の発色を補正する補正データが伝送されたとき、当該補正データに基づいて補正された前記変換出力データを生成するように構成される。
請求項２９に記載の発明の作用によれば、請求項２６から２８のいずれか一項に記載の発明の作用に加えて、加工工程において、前記変換出力データを出力する際の発色を補正する補正データが伝送されたとき、当該補正データに基づいて補正された変換出力データを生成する。
よって、変換出力データの出力時における発色を補正して出力する場合でも、出力後の態様を正確且つ忠実にデータ生成装置において把握することができる。
上記の課題を解決するために、請求項３０に記載の発明は、請求項２６から２９のいずれか一項に記載のデータ変換制御方法において、前記加工工程は、前記変換出力データの出力サイズを変更する変更データが伝送されたとき、当該変更データに基づいて前記出力サイズを変更した前記変換出力データを生成するように構成されている。
請求項３０に記載の発明の作用によれば、請求項２６から２９のいずれか一項に記載の発明の作用に加えて、加工工程において、前記変換出力データの出力サイズを変更する変更データが伝送されたとき、当該変更データに基づいて出力サイズを変更した変換出力データを生成する。
よって、変換出力データの出力時におけるサイズを変更して出力する場合でも、出力後の態様を正確且つ忠実にデータ生成装置において把握することができる。
上記の課題を解決するために、請求項３１に記載の発明は、出力すべき出力データを生成すると共に、表示データに対応する画像を表示する表示手段を備えるデータ生成装置と、出力データを出力する出力装置とを備える出力制御システムに用いられ、かつ前記データ生成装置によって生成された出力データを変換データを用いて変換すると共に前記表示データを生成するデータ変換装置におけるデータ変換制御を行うためのデータ変換制御プログラムを記録した記録媒体であって、前記データ変換装置に含まれるコンピュータを、前記変換データに基づいて前記出力データの変換を行い、出力の際には使用しないプレビュー処理用の前記表示データを生成し、前記データ生成装置から前記表示データを要求する要求信号が伝送されたとき、当該表示データを前記データ生成装置に伝送する表示データ生成伝送手段、及び、前記データ生成装置によって生成された加工データが伝送されたとき、当該加工データと、前記変換データとに基づいて前記出力データの変換を行い、前記出力装置に出力するための変換出力データを生成する加工手段、として機能させるためのデータ変換制御プログラムを記録した記録媒体として構成される。
請求項３１に記載の発明の作用によれば、データ変換制御プログラムを記録した記録媒体に基づいて、表示データ生成伝送手段として機能するコンピュータは、変換データに基づいて前記出力データの変換を行い、出力の際には使用しないプレビュー処理用の前記表示データを生成し、前記データ生成装置から前記表示データを要求する要求信号が伝送されたとき、前記表示データをデータ生成装置に伝送する。その後、加工手段として機能するコンピュータは、前記データ生成装置によって生成された加工データが伝送されたとき、前記加工データが伝送されたとき、当該加工データと、前記変換データとに基づいて前記出力データの変換を行い、前記出力装置に出力するための変換出力データを生成する。
よって、変換データに基づいて前記出力データの変換を行い、出力の際には使用しないプレビュー処理用の前記表示データを用いて加工データを生成し、当該加工データと、前記変換データを用いて生成された変換出力データを出力するので、出力装置におけるデータの出力前に実際に出力される変換出力データの態様を正確且つ忠実にデータ生成装置において把握することができる。
上記の課題を解決するために、請求項３２に記載の発明は、請求項３１に記載のデータ変換制御プログラムを記録した記録媒体において、前記加工手段として機能するコンピュータは、前記変換出力データの一部を指定するための指定データが伝送されたとき、当該指定データにより指定された部分に対応する前記変換出力データを生成することを特徴とするデータ変換制御プログラムを記録した記録媒体として構成される。
請求項３２に記載の発明の作用によれば、請求項３１に記載の発明の作用に加えて、加工手段として機能するコンピュータは、前記変換出力データの一部を指定するための指定データが伝送されたとき、当該指定データにより指定された部分に対応する変換出力データを生成する。
よって、変換出力データの一部を指定してその部分を出力する場合でも、出力後の態様を正確且つ忠実にデータ生成装置において把握することができる。
上記の課題を解決するために、請求項３３に記載の発明は、請求項３１又は３２に記載のデータ変換制御プログラムを記録した記録媒体において、前記加工手段として機能するコンピュータは、前記変換出力データを複数に分割するための分割データが伝送されたとき、当該分割データに基づいて分割単位毎に前記変換出力データを生成することを特徴とするデータ変換制御プログラムを記録した記録媒体として構成される。
請求項３３に記載の発明の作用によれば、請求項３１又は３２に記載の発明の作用に加えて、加工手段として機能するコンピュータは、前記変換出力データを複数に分割するための分割データが伝送されたとき、当該分割データに基づいて分割単位毎に変換出力データを生成する。
よって、変換出力データを分割して当該分割単位毎に出力する場合でも、出力後の態様を正確且つ忠実にデータ生成装置において把握することができる。
上記の課題を解決するために、請求項３４に記載の発明は、請求項３１から３３のいずれか一項に記載のデータ変換制御プログラムを記録した記録媒体において、前記加工手段として機能するコンピュータは、前記変換出力データを出力する際の発色を補正する補正データが伝送されたとき、当該補正データに基づいて補正された前記変換出力データを生成することを特徴とするデータ変換制御プログラムを記録した記録媒体として構成される。
請求項３４に記載の発明の作用によれば、請求項３１から３３のいずれか一項に記載の発明の作用に加えて、加工手段として機能するコンピュータは、前記変換出力データを出力する際の発色を補正する補正データが伝送されたとき、当該補正データに基づいて補正された変換出力データを生成する。
よって、変換出力データの出力時における発色を補正して出力する場合でも、出力後の態様を正確且つ忠実にデータ生成装置において把握することができる。
上記の課題を解決するために、請求項３５に記載の発明は、請求項３１から３４のいずれか一項に記載のデータ変換制御プログラムを記録した記録媒体において、前記加工手段として機能するコンピュータは、前記変換出力データの出力サイズを変更する変更データが伝送されたとき、当該変更データに基づいて前記出力サイズを変更した前記変換出力データを生成することを特徴とするデータ変換制御プログラムを記録した記録媒体として構成される。
請求項３５に記載の発明の作用によれば、請求項３１から３４のいずれか一項に記載の発明の作用に加えて、加工手段として機能するコンピュータは、前記変換出力データの出力サイズを変更する変更データが伝送されたとき、当該変更データに基づいて出力サイズを変更した変換出力データを生成する。
よって、変換出力データの出力時におけるサイズを変更して出力する場合でも、出力後の態様を正確且つ忠実にデータ生成装置において把握することができる。
【００６７】
【発明の実施の形態】
次に、本発明に好適な実施の形態について、図１乃至図１０に基づいて説明する。なお、以下に説明する実施の形態は、データ生成装置としての複数のコンピュータが、変換装置としての一のデータ変換器を介して出力装置としてのプリンタに接続されたネットワークシステムにおいて、夫々のコンピュータにより当該プリンタを共同使用する場合の出力制御に対して本発明を適用した場合の実施の形態である。
【００６８】
（Ｉ）全体構成
始めに、実施形態のネットワークシステムの構成について、図１を用いて説明する。
【００６９】
図１に示すように、実施形態のネットワークシステムＷは、４台のコンピュータ１乃至４と、データ変換器６と、夫々のコンピュータ１乃至４とデータ変換器６を接続する切換器５と、プリンタ７とにより構成されている。
【００７０】
この構成において、各コンピュータ１乃至４は、夫々が備えるアプリケーションソフトウェア等を用いてプリンタ７において印刷出力すべき出力データを生成して切換器５に出力する。ここで、上記出力データとしては、例えば、Ａｄｏｂｅ社の「ポストスクリプト」等の周知のページ記述言語により作成される。更に、これと並行して各コンピュータ１乃至４は後述のプレビュー処理及びトリミング処理並びにタイリング処理を行う。
【００７１】
ここで、プレビュー処理とは、上記出力データを用いたプリンタ７における印刷出力の前に、各コンピュータ１乃至４に含まれるか、又は当該コンピュータとは別に設けられた後述のディスプレイに対して、上記出力データに対応して印刷出力される印刷出力データ（いわゆるビットマップ形式の印刷出力データ）の態様（すなわち、字体、文字の大きさ、全体のレイアウト、色配置等の態様）を表示する処理をいう。
【００７２】
切換器５は、夫々のコンピュータ１乃至４からの出力データを一時的に記憶するバッファ部を備え、これらの出力データをコンピュータ毎に時分割的にデータ変換器６に出力する。
【００７３】
さらに、切換器５は、データ変換器６から出力されてくる後述の表示データを各コンピュータに配信する。
【００７４】
一方、データ変換器６は、各コンピュータ１乃至４から切換器５を介して送信されてくる出力データを、当該データ変換器６が保有する変換データを用いてプリンタ７において印刷出力するためのビットマップデータに展開し、プリンタ７に出力する。更に、データ変換器６は後述のプレビュー処理及びトリミング処理並びにタイリング処理を行う。
【００７５】
そして、プリンタ７は、出力されたビットマップデータに基づき、対応する印刷出力を行う。
【００７６】
（II）細部構成
次に、上記ネットワークシステムＷを構成する各構成部材の細部構成を図２及び図３を用いて説明する。
【００７７】
始めに、コンピュータ１乃至４の構成及び動作について、図２（ａ）を用いて説明する。なお、各コンピュータ１乃至４は、夫々同様の構成及び動作を実行するので、以下の説明では、代表してコンピュータ１について説明する。
【００７８】
図２（ａ）に示すように、コンピュータ１は、ＲＯＭ１３に記憶されたプログラムを読み出してそれに含まれている各命令を実行することにより、要求手段及び加工データ生成手段として機能するＣＰＵ１０と、キーボード、マウス等よりなる入力部１１と、ネットワーク接続部１２と、記録媒体としてのＲＯＭ（ReadOnly Memory）１３と、ＲＡＭ（Random Access Memory）１４と、ＣＲＴ（Cathode Ray Tube）又は液晶等よりなる表示手段としてのディスプレイ１５と、コンピュータ１内の各構成部材を接続するバス１６とにより構成されている。
【００７９】
上記の構成において、ネットワーク接続部１２は、切換器５に接続されており、コンピュータ１から出力するデータ及びコンピュータ１に入力するデータに対していわゆるインターフェース動作を行う。
【００８０】
一方、入力部１１は、コンピュータ１における処理に必要なデータが入力されたときそれをバス１６を介してＣＰＵ１０等に出力すると共に、後述のトリミング処理及びタイリング処理における分割位置等を入力するために用いられる。
【００８１】
ＲＯＭ１３は、コンピュータ１全体の制御用のプログラム（後述のプレビュー処理及びトリミング処理並びにタイリング処理用のフローチャートに対応するプログラムを含む。）を記憶している読み出し専用のメモリであり、所定のタイミングで必要なプログラムを読み出して、バス１６に出力する。
【００８２】
また、ＲＡＭ１４は、実際には、ハードディスク装置等の記憶装置等により構成され、ＣＰＵ１０における処理に必要なデータ等を一時的に記憶し、必要に応じてバス１６に出力する。
【００８３】
更に、ディスプレイ１５は、ＣＰＵ１０における処理に必要な表示を行うと共に、後述の表示データＳaに対応する画像及び後述のトリミング処理及びタイリング処理に必要な画像を表示する。
【００８４】
最後に、ＣＰＵ１０は、ＲＡＭ１４に記憶されているアプリケーションプログラムを用いて対応する文書作成、画像処理を行って出力データＳbを生成すると共に、後述の加工データＳdの生成を含むトリミング処理及びタイリング処理等の処理を行い、更にコンピュータ１を構成する各構成部材を制御する。
【００８５】
なお、本発明に係るプレビュー処理及びトリミング処理並びにタイリング処理におけるコンピュータ１の動作については後ほど纏めて説明する。
【００８６】
次に、プリンタ７の構成及び動作について、図２（ｂ）を用いて説明する。
【００８７】
図２（ｂ）に示すように、プリンタ７は、出力手段としてのＣＰＵ１６と、ネットワーク接続部１７と、ＲＯＭ１８と、ＲＡＭ１９と、出力手段としての出力エンジン２０と、バス２１とにより構成されている。
【００８８】
この構成において、ネットワーク接続部１７は、データ変換器６に接続されており、プリンタ７に入力される当該プリンタ７において印刷出力すべき出力データ（ビットマップ形式の印刷データ）に対してインターフェース動作を行う。
【００８９】
一方、ＣＰＵ１６は、プリンタ７を構成する各構成部材を制御し、後述の変換出力データＳbmの印刷出力を行う。
【００９０】
また、ＲＯＭ１８は、プリンタ７全体の制御用のプログラムを記憶しているメモリであり、所定のタイミングで必要なプログラムを読み出して、バス２１に出力する。
【００９１】
更に、ＲＡＭ１４は、ＣＰＵ１６における処理に必要なデータ等を一時的に記憶し、必要に応じてバス２１に出力する。
【００９２】
最後に、出力エンジン２０は、インクジェット方式又はレーザビーム方式等の印刷部を備えており、ＣＰＵ１６の制御の下、実際の印刷出力データの印刷出力処理を行う。
【００９３】
なお、本発明に係るプレビュー処理及びトリミング処理並びにタイリング処理におけるプリンタ７の動作については後ほど纏めて説明する。
【００９４】
最後に、データ変換器６の構成及び動作について、図３を用いて説明する。
【００９５】図３に示すように、データ変換器６は、インターフェース２１及び２４と、ＲＯＭ３６に記憶されているプログラムを読み出してそれに含まれる各命令を実行することにより、加工手段として機能するＣＰＵ２２と、記録媒体としてのＲＯＭ３６と、ＲＡＭ２３と、ビットマップデータ生成部２５と、表示データ生成伝送手段としての表示データ生成部２６と、バス２７とにより構成されている。
【００９６】
更に、ビットマップデータ生成部２５はＣＰＵ２５a、ＲＯＭ２５b、ＲＡＭ２５cからなる論理演算回路を内蔵しており、表示データ生成部２６はＣＰＵ２６a、ＲＯＭ２６b及びＲＡＭ２６cからなる論理演算回路を内蔵している。ここで、ＲＯＭ２５bは出力データＳbに対応する後述の変換出力データＳbm生成のためのプログラムを記憶しており、ＲＯＭ２６bはＣＰＵ２６aを表示データ生成伝送手段として機能させるためのプログラムを記憶している。
【００９７】
この構成において、インターフェース２１は、切換器５を介した各コンピュータ１乃至４からのデータに対してインターフェース動作行い、バス２７に出力する。
【００９８】
そして、ＣＰＵ２２は、データ変換器６全体を制御すると共に、後述の表示データＳaを切換器５を介して各コンピュータ１乃至４に出力する。更に、ＣＰＵ２２は各コンピュータ１乃至４から送信されてくる後述の加工データＳdに基づいて後述のトリミング処理及びタイリング処理に伴う処理を実行する。
【００９９】
次に、ＲＡＭ２３は、データ変換器６に入力されてきた各コンピュータ１乃至４からの出力データＳb等を一時的に記憶し、必要に応じてバス２７に出力する。これと並行してＲＡＭ２３は、後述のビットマップデータ生成部２５において生成された出力データＳbに対応する変換出力データＳbmを一時的に記憶し、ＣＰＵ２２の制御の下、バス２７を介してプリンタ７に出力すると共に、後述の表示データ生成部２６において生成された表示データＳaを一時的に記憶し、ＣＰＵ２２の制御の下、バス２７を介してプリンタ７にコンピュータ１乃至４に出力する。
【０１００】
ＲＯＭ３６は、データ変換器６全体の制御用のプログラム（後述のプレビュー処理及びトリミング処理並びにタイリング処理用のフローチャートに対応するプログラムを含む。）を記憶している読み出し専用のメモリであり、所定のタイミングで必要なプログラムを読み出して、バス２７に出力する。
【０１０１】
次に、変換データＲＯＭ３５は、コンピュータ１から入力された出力データＳb（ページ記述言語で作成されたページ記述データ）を対応するビットマップデータに変換するための変換データを記憶しているＲＯＭであり、当該変換データは、後述のビットマップデータ生成部２５と表示データ生成部２６において共用される。そして、具体的は変換データとしては、出力データＳb内の個々の指令コードを解釈して図形等の描画を行うための変換規則データ３５bと出力データＳbに含まれるいわゆるキャラクタコードに対応するフォント（字体）データ（アウトラインデータ）３５aとを含み、これらが必要に応じて読み出される。
【０１０２】
一方、ビットマップデータ生成部２５は、各コンピュータ１乃至４からの出力データＳbをプリンタ７において印刷出力するためのビットマップデータに展開し、ＲＡＭ２３に出力する。すなわち、出力データＳb内の指令コードや上記キャラクタコードを読み出し、更に夫々に対応する変換規則データ３５b又はフォントデータ３５aを変換データＲＯＭ３５から読み出して、ＲＡＭ２３内のページメモリ内に、指令コードに対応する図形やキャラクタコードに対応するフォントをビットマップ形式で記憶させるのである。なお、ビットマップデータ生成部２５における展開加工においては、実際にプリンタ７において印刷出力に使用される上記変換規則データ３５b及びフォントデータ３５aを含む変換データを用いて実際に印刷出力する頁毎にビットマップデータが生成される。また、後述のトリミング処理及びタイリング処理を行うときは、後述の加工データＳdに基づいて上記ビットマップデータへの展開加工と併せて出力データＳbがＣＰＵ２２の制御の元で加工され、変換出力データＳbmがバス２７に出力される。
【０１０３】
そして、インタフェース２４は、生成された変換出力データＳbm（又はビットマップデータ）等のプリンタ７における印刷処理に必要なデータに対してインターフェース処理を行い、プリンタ７に出力する。
【０１０４】
最後に、表示データ生成部２６は、各コンピュータ１乃至４から送信されてくる要求信号Ｓrに対応して、プリンタ７において印刷出力すべき上記出力データＳb（各コンピュータ１乃至４から送信されてくる出力データＳb）並びに上記変換データを用いて後述の表示データＳaを生成し、ＲＡＭ２３に出力する。すなわち、ビットマップデータ生成部２５における変換出力データＳbm（又はビットマップデータ）の生成と同様に、ビットマップ形式の表示データＳaを生成する。このときには、変換データＲＯＭ３５からの変換データをビットマップデータ生成部２５と共有することとなるので、プリンタ７における実際の印刷出力に忠実なプレビュー処理用の表示データＳaを生成できることとなる。
【０１０５】
なお、本発明に係るプレビュー処理におけるデータ変換器６の動作については以下に纏めて説明する。
【０１０６】
（III）プレビュー処理の一般的実施形態
次に、ネットワークシステムＷにおいて実行されるプレビュー処理の一般的な実施形態について、図４を用いて説明する。なお、図４は当該プレビュー処理を示すフローチャートである。また、以下の説明においては、理解の容易のために、コンピュータ１とデータ変換器６並びにプリンタ７を用いたプレビュー処理について説明する。
【０１０７】
図４に示すように、実施形態のプレビュー処理においては、始めに、コンピュータ１において、プリンタ７を用いて印刷出力すべき出力データＳb（例えば、印刷出力すべき文書又は画像等）が生成される（ステップＳ１）。
【０１０８】
そして、当該生成された出力データＳbが切換器５を介してデータ変換器６に対して送信され（ステップＳ２）、これを受信したデータ変換器６内のＲＡＭ２３内に一時的に記憶される（ステップＳ３）。
【０１０９】
次に、コンピュータ１において上記出力データＳbに対応するプレビューを行う旨の指令が入力部１１を介して入力されたか否かが判定される（ステップＳ４）。そして、入力されないときは（ステップＳ４；ｎｏ）そのままステップＳ１１へ移行し、入力されたときは（ステップＳ４；ｙｅｓ）、当該プレビューを行うために表示データＳaをコンピュータ１への送信を要求する旨の要求信号Ｓrが生成され、データ変換器６に送信される（ステップＳ５）。
【０１１０】
次に、当該要求信号Ｓrがデータ変換器６において受信されると（ステップＳ６）、当該要求信号Ｓrを受けたＣＰＵ２２の制御の下、表示データ生成部２６が、ＲＡＭ２３に記憶されている出力データＳbと、変換データＲＯＭ３５に記憶されている上記フォントデータ３５a及び変換規則データ３５bを含む変換データとを用いてディスプレイ１５上に表示すべき表示データＳaを生成（展開）する（ステップＳ７）。このとき、生成された表示データＳaは、出力データＳbを実際に印刷出力するときの態様（字体、文字の大きさ、全体のレイアウト、色配置等の態様）とほぼ同じ態様のデータである。
【０１１１】
そして、生成された表示データＳaをコンピュータ１に送信する（ステップＳ８）。
【０１１２】
次に、当該表示データＳaがコンピュータ１において受信されると（ステップＳ９）、当該表示データＳaに対応する画像、すなわち、出力データＳbをプリンタ７において印刷出力するときの態様にほぼ一致した画像がディスプレイ１５に表示され、使用者がこれを確認する（ステップＳ１０）。
【０１１３】
そして、実際に印刷を実行する際の補助情報の入力がコンピュータ１において実行されると（ステップＳ１１）、次に、コンピュータ１から実際に印刷出力を開始するか否かを示す指示データが送信される（ステップＳ１２）。
【０１１４】
ここで、後述のトリミング処理及びタイリング処理によって生成される加工データＳd（すなわち、表示データＳaに対応する画像を用いて生成された加工データＳdであって、出力データＳbに対してトリミング処理及びタイリング処理を行うために入力部１１から入力された指示に基づく加工データＳd）は、上記ステップＳ１１において生成され、ステップＳ１２においてデータ変換器６に送信されることとなる。
【０１１５】
そして、当該指示データ（上記加工データＳdを含む。）がデータ変換器６において受信されると（ステップＳ１３）、次に、その内容に基づいてトリミング処理及びタイリング処理が実行されると共に、印刷を実行するか否かが判定され（ステップＳ１４）、実行するのであれば（ステップＳ１４；ｙｅｓ）、ＲＡＭ２３に記憶されている出力データＳbをビットマップデータ生成部２５によりビットマップデータ（印刷データ）に展開し（ステップＳ１５）、当該ビットマップデータをプリンタ７に出力して印刷を実行する（ステップＳ１６）。
【０１１６】
なお、加工データＳdに基づくトリミング処理又はタイリング処理を行うときは、ステップＳ１５において当該加工データＳdに基づくトリミング処理及びタイリング処理を施して変換出力データＳbmを生成し、当該変換出力データＳbmをプリンタ７に出力して印刷を実行する（ステップＳ１６）。
【０１１７】
そして、印刷出力が終了したらＲＡＭ２３に記憶されている出力データＳbを削除して（ステップＳ１７）処理を終了する。
【０１１８】
一方、ステップＳ１４において、指示データに内容が印刷出力を実行しない旨の内容であった場合（例えば、使用者が表示データＳaに対応する画像をディスプレイ１５で確認した結果、所望の出力態様でなかった場合等）には（ステップＳ１４；ｎｏ）そのままステップＳ１７の処理を行い全体の処理を終了する。
【０１１９】
（IV）トリミング処理及びタイリング処理の実施形態
次に、上記ステップＳ１１乃至Ｓ１３及びＳ１５において実行されるトリミング処理及びタイリング処理の詳細について図５乃至図１０を用いて説明する。なお、以下に説明する実施形態は、上記表示データＳaに基づく画像（プレビュー処理における画像）がディスプレイ１５に表示されているとき（上記ステップＳ１０参照）に実行されるトリミング処理及びタイリング処理の実施形態であり、当該トリミング処理とタイリング処理を同時に実行する場合の実施の形態である。
【０１２０】
Ｎまた、図５乃至図８はトリミング処理又はタイリング処理が実行される際にディスプレイ１５上に実際に表示される画面の例を示す図であり、図９はトリミング処理を実行する際のＣＰＵ１０及びＣＰＵ２２の動作を示すフローチャートであり、図１０はタイリング処理を実行する際のＣＰＵ１０及びＣＰＵ２２の動作を示すフローチャートである。
【０１２１】
トリミング処理及びタイリング処理を実行する際のディスプレイ１５には、図５に示すように表示データＳaに基づく画像と、当該画像の周囲部分をトリミングするトリミング領域及び当該画像を分割する（タイリングする）分割位置とを同時に表示するの合成表示部３０に加えて、画像のトリミング領域を設定するモードを指示するトリミングモード指定ボタン３１と、分割位置を設定するモードを指示する分割モード指定ボタン３２と、印刷の実行を指示する印刷実行指示ボタン３３と、矢印等の形状をなすマウスカーソル３４と、が表示される。
【０１２２】
このとき、マウスカーソル３４は、入力部１１を構成するマウスの動作に対応する操作がＣＰＵ１０に伝えられ、当該ＣＰＵ１０が図示しないディスプレイ制御部に指示を出すことにより、ディスプレイ１５の表示部上で移動する。
【０１２３】
更に、ディスプレイ１５上に表示されている各モード指示ボタン３１、３２及び３３上の位置にマウスカーソル３４を移動させ、当該マウス上に設けた指示ボタンを押下することにより、そのモード指示がＣＰＵ１０に伝えられ、ＣＰＵ１０が選択されたモードの実行を行う。
【０１２４】
なお、実施形態のトリミング処理又はタイリング処理を実行する際、すなわち、ステップＳ１１が開始される段階においては、図６に示すように、表示データＳaに対応する画像が合成表示部３０上に表示されている。
【０１２５】
次に、トリミング領域を設定する手順を図６、図７及び図９を参照して説明する。
【０１２６】
トリミング処理に当たっては、先ず、図示しないマウスを操作し、マウスカーソル３４をトリミング領域を設定するモードを指示するボタン３１の上に移動し、マウス上の指示ボタンを押下する（ステップＳ２０）。そして、ＣＰＵ１０は、その制御をトリミングを設定するモードに設定する（ステップＳ２１）。
【０１２７】
次にディスプレイ１５上に表示された画像上の例えば点３６にマウスカーソル３４を移動し、その指示ボタンを押下する（ステップＳ２２）。その結果、ＣＰＵ１０は、その時点でのマウスカーソルの表示位置すなわち点３６と、表示されている画像との相対位置により画像上の点３６の座標を算出し、ＲＡＭ１４に保存する（ステップＳ２３）。
【０１２８】
続いて点３６に対して対角線上の位置を指示する例えば点３７にマウスカーソル３４を移動し、その指示ボタンを押下する（ステップＳ２４）。このとき、ＣＰＵ１０は、点３６と同様に点３７の画像上の座標を算出し、ＲＡＭ１４に保存する（ステップＳ２５）。このときの点３６と点３７の画像上の座標がトリミング処理に伴う加工データＳdとして記憶される。
【０１２９】
これと並行して、ＣＰＵ１０は、点３６と点３７を対角の点とする短形をトリミング領域３８として図７に点線の矩形で示すようにディスプレイ１５上に表示する（ステップＳ２６）。
【０１３０】
次に、タイリング処理における分割位置を設定する手順について図７、図８及び図１０を参照して説明する。
【０１３１】
タイリング処理に当たっては、先ず、マウスカーソル３４を分割位置を設定するモードを指示するボタン３２の上に移動し、その指示ボタンを押下する（ステップＳ２７）。そして、ＣＰＵ１０は、その制御を分割位置を設定するモードとする（ステップＳ２８）。
【０１３２】
次にディスプレイ１５上に表示された画像上の例えば点３９（図７符号３９参照）にマウスカーソル３４を移動し、その指示ボタンを押下する（ステップＳ２９）。これにより、ＣＰＵ１０は、その時点でのマウスカーソルの表示位置すなわち点３９と、表示されている画像との相対位置より画像上の点３９の座標を算出し、ＲＡＭ１４に保存する（ステップＳ３０）。続いてマウスを操作して点３９に対して対角線上の位置を指示する例えば点４０に、マウスカーソル３４を移動し、その指示ボタンを押下する（ステップＳ３１）。この点３９及び４０は分割線が画像の重要な部分を通らないように選択される。
【０１３３】
そして、ＣＰＵ１０は、点３９と同様に点４０の画像上の座標を算出し、ＲＡＭ１４に保存する（ステップＳ３２）。このときの点３９と点４０の画像上の座標がタイリング処理に伴う加工データＳdとして記憶される。これとともに、点３９を起点とし点３９と点４０との水平距離、垂直距離の間隔でトリミング領域３８を上下左右に分割する一点鎖線で表示された分割位置４１を図８に示すようにディスプレイ１５に表示する（ステップＳ３９）。
【０１３４】
すなわち、点３９及び４０で区画される分割領域４２と同一分割領域４２を上下左右に自動的に形成する。図８においては、左右２つのみが同一分割領域４２を形成しているが、画像が図８に示すよりも大きい場合には上下にも同一分割領域が形成されることとなる。
【０１３５】
次に、画像上でのトリミング処理及びタイリング処理が終了した後に実際に印刷出力を指示する手順（ステップＳ１１、Ｓ１２、Ｓ１５）について説明する。
【０１３６】
ディスプレイ１５上におけるトリミング処理及びタイリング処理が終了したならば、次に、マウスカーソル３４を印刷の実行を指示するボタン３３の上に移動しその指示ボタンを押下する（図４ステップＳ１１参照）。この動作により、ＣＰＵ１０は、ＲＡＭ１４上に保存された加工データＳdを印刷開始を示す情報と共にデータ変換部６に送信する（図４ステップＳ１２参照）。
【０１３７】
そして、これを受信した（図４ステップＳ１３参照）データ変換部６においては、印刷開始であるときは（ステップＳ１４；ｙｅｓ）、ＣＰＵ２２が、送信されてきた加工データＳdに含まれる点３６と点３７の座標より出力データＳbに対応する画像をトリミングすると共に、点３９と点４０の座標により出力データＳbに対応する画像を分割し、点３９と点４０を対角とする短形が、出力エンジン２０の印刷サイズを越えない最大の拡大率を計算し、分割した画像の各々を、その拡大率で拡大処理し、変換出力データＳbmを生成してバス２７、インターフェース２４及びネットワーク接続部１７、バス２１を通して出力エンジン２０に転送し、分割領域を順に印刷する。これにより、使用者が印刷出力された夫々の画像を貼合わせて元の出力データＳbに対応する画像を得ることとなる。
【０１３８】
以上の動作により、プレビュー処理されたディスプレイ１５上でトリミング領域及びタイリング処理の分割位置を指定して実際の印刷出力が実行される。
【０１３９】
なお、上述のプレビュー処理、トリミング処理及びタイリング処理並びに実際の印刷出力は、他のコンピュータ２乃至４とデータ変換器６とを用いても全く同様に実行することができる。
【０１４０】
一方、図４乃至図１０に示す処理を上記ネットワークシステムＷ全体に渡って適用する場合に、例えば、コンピュータ１で生成した出力データＳbのプレビュー処理、トリミング処理及びタイリング処理をコンピュータ２のディスプレイ１５を用いて実行する場合には、少なくとも上記ステップＳ４、Ｓ５、Ｓ９、Ｓ１０及びＳ１１の処理は当該プレビュー処理を行うコンピュータ２において実行される。このときには、上記要求信号Ｓrはコンピュータ２から送信される。そして、データ変換器６においては表示データＳaをコンピュータ２に返信することとなる。
【０１４１】
以上説明したように、実施形態のネットワークシステムの動作によれば、コンピュータ１乃至４からの要求信号Ｓrに基づき、変換データ及び出力データＳbを用いて表示データＳaを生成し、更に、表示データＳaに対応して表示される画像を用いて加工データＳdを生成し、当該加工データＳdに基づいて変換出力データＳbmを生成し出力するので、プリンタ７におけるデータの出力前に実際に出力されるデータの態様を正確且つ忠実にコンピュータ１乃至４において把握することができる。
【０１４２】
また、加工データＳdがトリミング処理のためのデータであると共に、データ変換器６がトリミング処理を行って変換出力データＳbmを生成するので、出力後の態様を正確且つ忠実にコンピュータ１乃至４において把握することができる。
【０１４３】
更に、加工データＳdがタイリング処理のためのデータであると共に、データ変換器６がタイリング処理を行って変換出力データＳbmを生成するので、出力後の態様を正確且つ忠実にコンピュータ１乃至４において把握することができる。
【０１４４】
なお、上述の実施形態では、マウスを使用してディスプレイ１５の上に表示された画像上の点を指示することにより、トリミング領域３８と分割位置４１を指示しているが、キーボードによって直接指示点の座標を数値入力してもよい。また、マウスの代わりにタブレット、ライトペン、キーボード等を備えると共に、作成された画像、トリミング領域、分割位置を保存する外部記憶装置を加えた構成としてもよい。
【０１４５】
更に、上述の実施形態においては、トリミング処理及びタイリング処理において生成された加工データＳdに基づいて変換出力データＳbmを生成する構成としたが、これ以外に、プリンタ７における印刷出力時の発色を、例えば誤差拡散法やディザ法を用いて補正する場合に、表示データＳa上において当該誤差拡散法やディザ法に対応する色補正処理を行って加工データＳdを生成し、これに基づいてデータ変換器６において変換出力データＳbmを生成して印刷出力してもよい。
【０１４６】
この場合には、加工データＳdがデータを出力する際の発色を補正するデータであると共に、データ変換器６が色補正処理を行って変換出力データＳbmを生成するので、出力後の態様を正確且つ忠実にコンピュータ１乃至４において把握することができる。
【０１４７】
更にまた、プリンタ７における印刷出力時の出力サイズを、例えば通常に対して１／２又は１／３等とする場合に、表示データＳa上において当該出力サイズの指定を行って加工データＳdを生成し、これに基づいてデータ変換器６において変換出力データＳbmを生成して印刷出力してもよい。
【０１４８】
この場合には、加工データＳdがデータの出力サイズを変更するデータであると共に、データ変換器６が出力サイズの変更処理を行って変換出力データＳbmを生成するので、出力後の態様を正確且つ忠実にコンピュータ１乃至４において把握することができる。
【０１４９】
なお、上述の実施形態においては、データ変換器６とプリンタ７とを別個独立の装置として説明したが、これ以外にも、プリンタそのものに上記データ変換器としての機能を持たせることも可能である。この場合には、本発明に係る動作を示すプログラムを、コンピュータからの出力データＳbをビットマップデータに展開するための、いわゆるＲＩＰ（Raster Image Processer）プログラムとしてプリンタ内に内蔵するようにすることができる。
【０１５０】
更に、上述の実施形態に係る動作（図４参照）に係るプログラムを記録媒体としてのフレキシブルディスク等に記録させ、必要に応じて、コンピュータ内の上記ＲＡＭを構成するハードディスク装置内に記憶させて利用するようにしてもよい。
【０１５１】
更にまた、本発明は、プリンタを用いて印刷出力におけるプレビューだけでなく、例えば、テレビ会議において、夫々のディスプレイに表示する画像を予め確認してから表示するようなときに適用することもできる。
【０１５２】
【発明の効果】
以上説明したように、請求項１に記載の発明によれば、データ生成装置からの要求信号に基づき、前記変換データに基づいて前記出力データの変換を行い、出力の際には使用しないプレビュー処理用の前記表示データを生成し、更に、表示データに対応して表示される画像を用いて加工データを生成し、当該加工データと、前記変換データとに基づいて前記出力データの変換を行い、変換出力データを出力するので、出力装置におけるデータの出力前に実際に出力される変換出力データの態様を正確且つ忠実にデータ生成装置において把握することができる。
【０１５３】
従って、使用者が所望する態様で出力されるデータの加工が為されているか否かをより正確に確認することができる。
【０１５４】
請求項２に記載の発明によれば、請求項１に記載の発明の効果に加えて、加工データが、変換出力データの一部を指定するための指定データであると共に、加工手段が、指定データが伝送されたとき、当該指定データにより指定された部分に対応する変換出力データを生成するので、変換出力データの一部を指定してその部分を出力する場合でも、出力後の態様を正確且つ忠実にデータ生成装置において把握することができる。
【０１５５】
請求項３に記載の発明によれば、請求項１又は２に記載の発明の効果に加えて、加工データが、変換出力データを複数に分割するための分割データであると共に、加工手段が、分割データが伝送されたとき、当該分割データに基づいて分割単位毎に変換出力データを生成し、更に出力装置が、生成された変換出力データにおける分割単位毎に出力するので、変換出力データを分割して当該分割単位毎に出力する場合でも、出力後の態様を正確且つ忠実にデータ生成装置において把握することができる。
【０１５６】
請求項４に記載の発明によれば、請求項１から３のいずれか一項に記載の発明の効果に加えて、加工データが、変換出力データを出力する際の発色を補正する補正データであると共に、加工手段が、補正データが伝送されたとき、当該補正データに基づいて補正された変換出力データを生成するので、変換出力データの出力時における発色を補正して出力する場合でも、出力後の態様を正確且つ忠実にデータ生成装置において把握することができる。
【０１５７】
請求項５に記載の発明によれば、請求項１から４のいずれか一項に記載の発明の効果に加えて、加工データが変換出力データの出力サイズを変更する変更データであると共に、加工手段が、変更データが伝送されたとき、当該変更データに基づいて出力サイズを変更した変換出力データを生成するので、変換出力データの出力時におけるサイズを変更して出力する場合でも、出力後の態様を正確且つ忠実にデータ生成装置において把握することができる。
【０１５８】
請求項６に記載の発明によれば、データ生成装置からの要求信号に基づき、変換データに基づいて前記出力データの変換を行い、出力の際には使用しないプレビュー処理用の前記表示データを生成し、更に、表示データに対応して表示される画像を用いて加工データを生成し、当該加工データと、前記変換データとに基づいて前記出力データの変換を行い、変換出力データを出力するので、出力装置におけるデータの出力前に実際に出力される変換出力データの態様を正確且つ忠実にデータ生成装置において把握することができる。
【０１５９】
従って、使用者が所望する態様で出力されるデータの加工が為されているか否かをより正確に確認することができる。
【０１６０】
請求項７に記載の発明によれば、請求項６に記載の発明の効果に加えて、加工データが、変換出力データの一部を指定するための指定データであると共に、加工工程において、指定データが伝送されたとき、当該指定データにより指定された部分に対応する変換出力データを生成するので、変換出力データの一部を指定してその部分を出力する場合でも、出力後の態様を正確且つ忠実にデータ生成装置において把握することができる。
【０１６１】
請求項８に記載の発明によれば、請求項６又は７に記載の発明の効果に加えて、加工データが、変換出力データを複数に分割するための分割データであると共に、加工工程において、分割データが伝送されたとき、当該分割データに基づいて分割単位毎に変換出力データを生成し、更に出力工程において、生成された変換出力データにおける分割単位毎に出力するので、変換出力データを分割して当該分割単位毎に出力する場合でも、出力後の態様を正確且つ忠実にデータ生成装置において把握することができる。
【０１６２】
請求項９に記載の発明によれば、請求項６から８のいずれか一項に記載の発明の効果に加えて、加工データが、変換出力データを出力する際の発色を補正する補正データであると共に、加工工程において、補正データが伝送されたとき、当該補正データに基づいて補正された変換出力データを生成するので、変換出力データの出力時における発色を補正して出力する場合でも、出力後の態様を正確且つ忠実にデータ生成装置において把握することができる。
【０１６３】
請求項１０に記載の発明によれば、請求項６から９のいずれか一項に記載の発明の効果に加えて、加工データが変換出力データの出力サイズを変更する変更データであると共に、加工工程において、変更データが伝送されたとき、当該変更データに基づいて出力サイズを変更した変換出力データを生成するので、変換出力データの出力時におけるサイズを変更して出力する場合でも、出力後の態様を正確且つ忠実にデータ生成装置において把握することができる。
【０１６４】
請求項１１に記載の発明によれば、データ生成装置からの要求信号に基づき、変換データに基づいて前記出力データの変換を行い、出力の際には使用しないプレビュー処理用の前記表示データを生成し、更に、表示データに対応して表示される画像を用いて加工データを生成し、当該加工データと、前記変換データとに基づいて前記出力データの変換を行い、変換出力データを出力するので、出力装置におけるデータの出力前に実際に出力される変換出力データの態様を正確且つ忠実にデータ生成装置において把握することができる。
【０１６５】
従って、使用者が所望する態様で出力されるデータの加工が為されているか否かをより正確に確認することができる。
【０１６６】
請求項１２に記載の発明によれば、請求項１１に記載の発明の効果に加えて、加工データが、変換出力データの一部を指定するための指定データであると共に、加工手段として機能するコンピュータが、指定データが伝送されたとき、当該指定データにより指定された部分に対応する変換出力データを生成するので、変換出力データの一部を指定してその部分を出力する場合でも、出力後の態様を正確且つ忠実にデータ生成装置において把握することができる。
【０１６７】
請求項１３に記載の発明によれば、請求項１１又は１２に記載の発明の効果に加えて、加工データが、変換出力データを複数に分割するための分割データであると共に、加工手段として機能するコンピュータが、分割データが伝送されたとき、当該分割データに基づいて分割単位毎に変換出力データを生成し、更に出力手段として機能するコンピュータが、生成された変換出力データにおける分割単位毎に出力するので、変換出力データを分割して当該分割単位毎に出力する場合でも、出力後の態様を正確且つ忠実にデータ生成装置において把握することができる。
【０１６８】
請求項１４に記載の発明によれば、請求項１１から１３のいずれか一項に記載の発明の効果に加えて、加工データが、変換出力データを出力する際の発色を補正する補正データであると共に、加工手段として機能するコンピュータが、補正データが伝送されたとき、当該補正データに基づいて補正された変換出力データを生成するので、変換出力データの出力時における発色を補正して出力する場合でも、出力後の態様を正確且つ忠実にデータ生成装置において把握することができる。
【０１６９】
請求項１５に記載の発明によれば、請求項１１から１４のいずれか一項に記載の発明の効果に加えて、加工データが変換出力データの出力サイズを変更する変更データであると共に、加工手段として機能するコンピュータが、変更データが伝送されたとき、当該変更データに基づいて出力サイズを変更した変換出力データを生成するので、変換出力データの出力時におけるサイズを変更して出力する場合でも、出力後の態様を正確且つ忠実にデータ生成装置において把握することができる。
【０１７０】
請求項１６に記載の発明によれば、データ生成装置からの要求信号に基づき、変換データに基づいて前記出力データの変換を行い、出力の際には使用しないプレビュー処理用の前記表示データを生成し、更に、表示データに対応して表示される画像を用いて加工データを生成し、当該加工データと、前記変換データとに基づいて前記出力データの変換を行い、変換出力データを出力するので、出力装置におけるデータの出力前に実際に出力される変換出力データの態様を正確且つ忠実にデータ生成装置において把握することができる。従って、使用者が所望する態様で出力されるデータの加工が為されているか否かをより正確に確認することができる。
【０１７１】
請求項１７に記載の発明によれば、請求項１６に記載の発明の効果に加えて、加工データが、変換出力データの一部を指定するための指定データとして用いられるので、変換出力データの一部を指定してその部分を出力する場合でも、出力後の態様を正確且つ忠実にデータ生成装置において把握することができる。
【０１７２】
請求項１８に記載の発明によれば、請求項１６又は１７に記載の発明の効果に加えて、加工データが、変換出力データを複数に分割するための分割データとして用いられるので、変換出力データを分割して当該分割単位毎に出力する場合でも、出力後の態様を正確且つ忠実にデータ生成装置において把握することができる。
【０１７３】
請求項１９に記載の発明によれば、請求項１６から１８のいずれか一項に記載の発明の効果に加えて、加工データが、変換出力データを出力する際の発色を補正する補正データとして用いられるので、変換出力データの出力時における発色を補正して出力する場合でも、出力後の態様を正確且つ忠実にデータ生成装置において把握することができる。
【０１７４】
請求項２０に記載の発明によれば、請求項１６から１９のいずれか一項に記載の発明の効果に加えて、加工データが変換出力データの出力サイズを変更する変更データとして用いられるので、変換出力データの出力時におけるサイズを変更して出力する場合でも、出力後の態様を正確且つ忠実にデータ生成装置において把握することができる。
【０１７５】
請求項２１に記載の発明によれば、データ生成装置からの要求信号に基づき、変換データに基づいて前記出力データの変換を行い、出力の際には使用しないプレビュー処理用の前記表示データを生成し、更に、表示データに対応して表示される画像を用いて加工データを生成し、当該加工データと、前記変換データとに基づいて前記出力データの変換を行い、変換出力データを出力するので、出力装置におけるデータの出力前に実際に出力される変換出力データの態様を正確且つ忠実にデータ生成装置において把握することができる。従って、使用者が所望する態様で出力されるデータの加工が為されているか否かをより正確に確認することができる。
【０１７６】
請求項２２に記載の発明によれば、請求項２１に記載の発明の効果に加えて、加工手段は、変換出力データの一部を指定するための指定データが伝送されたとき、当該指定データにより指定された部分に対応する変換出力データを生成するので、変換出力データの一部を指定してその部分を出力する場合でも、出力後の態様を正確且つ忠実にデータ生成装置において把握することができる。
【０１７７】
請求項２３に記載の発明によれば、請求項２１又は２２に記載の発明の効果に加えて、加工手段は、変換出力データを複数に分割するための分割データが伝送されたとき、当該分割データに基づいて分割単位毎に変換出力データを生成するので、変換出力データを分割して当該分割単位毎に出力する場合でも、出力後の態様を正確且つ忠実にデータ生成装置において把握することができる。
【０１７８】
請求項２４に記載の発明によれば、請求項２１から２３のいずれか一項に記載の発明の効果に加えて、加工手段は、前記変換出力データを出力する際の発色を補正する補正データが伝送されたとき、当該補正データに基づいて補正された変換出力データを生成するので、変換出力データの出力時における発色を補正して出力する場合でも、出力後の態様を正確且つ忠実にデータ生成装置において把握することができる。
【０１７９】
請求項２５に記載の発明によれば、請求項２１から２４のいずれか一項に記載の発明の効果に加えて、加工手段は、前記変換出力データの出力サイズを変更する変更データが伝送されたとき、当該変更データに基づいて出力サイズを変更した変換出力データを生成するので、変換出力データの出力時におけるサイズを変更して出力する場合でも、出力後の態様を正確且つ忠実にデータ生成装置において把握することができる。
【０１８０】
請求項２６に記載の発明によれば、データ生成装置からの要求信号に基づき、変換データに基づいて前記出力データの変換を行い、出力の際には使用しないプレビュー処理用の前記表示データを生成し、更に、表示データに対応して表示される画像を用いて加工データを生成し、当該加工データと、前記変換データとに基づいて前記出力データの変換を行い、変換出力データを出力するので、出力装置におけるデータの出力前に実際に出力される変換出力データの態様を正確且つ忠実にデータ生成装置において把握することができる。従って、使用者が所望する態様で出力されるデータの加工が為されているか否かをより正確に確認することができる。
【０１８１】
請求項２７に記載の発明によれば、請求項２６に記載の発明の効果に加えて、加工工程において、変換出力データの一部を指定するための指定データが伝送されたとき、当該指定データにより指定された部分に対応する変換出力データを生成するので、変換出力データの一部を指定してその部分を出力する場合でも、出力後の態様を正確且つ忠実にデータ生成装置において把握することができる。
【０１８２】
請求項２８に記載の発明によれば、請求項２６又は２７に記載の発明の効果に加えて、加工工程において、変換出力データを複数に分割するための分割データが伝送されたとき、当該分割データに基づいて分割単位毎に変換出力データを生成するので、変換出力データを分割して当該分割単位毎に出力する場合でも、出力後の態様を正確且つ忠実にデータ生成装置において把握することができる。
【０１８３】
請求項２９に記載の発明によれば、請求項２６から２８のいずれか一項に記載の発明の効果に加えて、加工工程において、前記変換出力データを出力する際の発色を補正する補正データが伝送されたとき、当該補正データに基づいて補正された変換出力データを生成するので、変換出力データの出力時における発色を補正して出力する場合でも、出力後の態様を正確且つ忠実にデータ生成装置において把握することができる。
【０１８４】
請求項３０に記載の発明によれば、請求項２６から２９のいずれか一項に記載の発明の効果に加えて、加工工程において、前記変換出力データの出力サイズを変更する変更データが伝送されたとき、当該変更データに基づいて出力サイズを変更した変換出力データを生成するので、変換出力データの出力時におけるサイズを変更して出力する場合でも、出力後の態様を正確且つ忠実にデータ生成装置において把握することができる。
【０１８５】
請求項３１に記載の発明によれば、データ変換制御プログラムを記録した記録媒体に基づいて、データ生成装置からの要求信号に基づき、変換データに基づいて前記出力データの変換を行い、出力の際には使用しないプレビュー処理用の前記表示データを生成し、更に、表示データに対応して表示される画像を用いてデータ生成装置で生成された加工データと、前記変換データとに基づいて前記出力データの変換を行い、変換出力データを出力するので、出力装置におけるデータの出力前に実際に出力される変換出力データの態様を正確且つ忠実にデータ生成装置において把握することができる。従って、使用者が所望する態様で出力されるデータの加工が為されているか否かをより正確に確認することができる。
【０１８６】
請求項３２に記載の発明によれば、請求項３１に記載の発明の効果に加えて、データ変換制御プログラムを記録した記録媒体に基づいて、加工手段として機能するコンピュータが、前記変換出力データの一部を指定するための指定データが伝送されたとき、当該指定データにより指定された部分に対応する変換出力データを生成するので、変換出力データの一部を指定してその部分を出力する場合でも、出力後の態様を正確且つ忠実にデータ生成装置において把握することができる。
【０１８７】
請求項３３に記載の発明によれば、請求項３１又は３２に記載の発明の効果に加えて、データ変換制御プログラムを記録した記録媒体に基づいて、加工手段として機能するコンピュータが、前記変換出力データを複数に分割するための分割データが伝送されたとき、当該分割データに基づいて分割単位毎に変換出力データを生成し、更に出力手段として機能するコンピュータが、生成された変換出力データにおける分割単位毎に出力するので、変換出力データを分割して当該分割単位毎に出力する場合でも、出力後の態様を正確且つ忠実にデータ生成装置において把握することができる。
【０１８８】
請求項３４に記載の発明によれば、請求項３１から３３のいずれか一項に記載の発明の効果に加えて、データ変換制御プログラムを記録した記録媒体に基づいて、加工手段として機能するコンピュータが、補正データが伝送されたとき、当該補正データに基づいて補正された変換出力データを生成するので、変換出力データの出力時における発色を補正して出力する場合でも、出力後の態様を正確且つ忠実にデータ生成装置において把握することができる。
【０１８９】
請求項３５に記載の発明によれば、請求項３１から３４のいずれか一項に記載の発明の効果に加えて、データ変換制御プログラムを記録した記録媒体に基づいて、加工手段として機能するコンピュータが、変更データが伝送されたとき、当該変更データに基づいて出力サイズを変更した変換出力データを生成するので、変換出力データの出力時におけるサイズを変更して出力する場合でも、出力後の態様を正確且つ忠実にデータ生成装置において把握することができる。
【図面の簡単な説明】
【図１】  実施形態のネットワークシステムの構成を示すブロック図である。
【図２】  コンピュータ及びプリンタの細部構成を示すブロック図であり、（ａ）はコンピュータの細部構成を示すブロック図であり、（ｂ）はプリンタの細部構成を示すブロック図である。
【図３】  データ変換器の細部構成を示すブロック図である。
【図４】  実施形態のプレビュー処理の動作を示すフローチャートである。
【図５】  ディスプレイ装置の表示の構成を示す図である。
【図６】  表示データに対応する画像の表示を示す図である。
【図７】  トリミング領域の表示を示す図である。
【図８】  分割位置の表示を示す図である。
【図９】  トリミング領域の設定手順を示すフローチャートである。
【図１０】  分割位置の設定手順を示すフローチャートである。
【符号の説明】
１、２、３、４…コンピュータ
５…切換器
６…データ変換器
７…プリンタ
１０、１６、２２、２５a、２６a...ＣＰＵ
１１…入力部
１２、１７…ネットワーク接続部
１３、１８、２５b、２６b、３６…ＲＯＭ
１４、１９、２３、２５c、２６c...ＲＡＭ
１５…ディスプレイ
１６、２１…バス
２０…出力エンジン
２１、２４…インターフェース
２５…ビットマップデータ生成部
２６…表示データ生成部
３０…合成表示部
３１…トリミング領域を設定するモードを設定するボタン
３２…分割位置を設定するモードを設定するボタン
３３…印刷の実行を指示するボタン
３４…マウスカーソル
３５…変換データＲＯＭ
３５a...フォントデータ
３５b...変換規則データ
Ｗ…ネットワークシステム
Ｓa...表示データ
Ｓb...出力データ
Ｓr...要求信号
Ｓd...加工データ
Ｓbm...変換出力データ
【図１】
0003653927.tif 000002
【図２】
0003653927.tif 000003
【図３】
0003653927.tif 000004
【図４】
0003653927.tif 000005
【図５】
0003653927.tif 000006
【図６】
0003653927.tif 000007
【図７】
0003653927.tif 000008
【図８】
0003653927.tif 000009
【図９】
0003653927.tif 000010
【図１０】
0003653927.tif 000011